(57)【要約】      （修正有）【課題】軟便又は流動性便などの粘性流体身体排泄物に対する、改良された便管理特性を有する吸収性構造物を提供する。【解決手段】吸収性物品の股区域の少なくとも一部分に配設される排泄物管理要素を備え、排泄物管理要素は、受入要素と貯蔵要素１５２を含む。貯蔵要素１５２は好ましくは、嵩高にされた開口構造部材を形成する接着自在箇所１２８と断続的な弓状部分１３０を有する三次元ウエブ１２６を含む。三次元ウエブ１２６は、嵩高不織材料又はループ状の材料を含む。【選択図】図１５
2010188136.tif 000002
【特許請求の範囲】
【請求項１】
中央区域により分離される２つの対向する端部区域を有する吸収性物品であって、
エネルギー入力のミリジュール当たり受入れ要素の平方インチ当たり粘性流体身体排泄物の約０．５０グラムより大きい圧力下での許容値を有する受入要素により特徴づけられる、中央区域の少なくとも一部分に配設される排泄物管理要素と、及び
接合自在位置と断続的な弓状部分を有する三次元ウエブを含む、貯蔵要素の平方インチ当たり粘性流体身体排泄物の約０．７０グラムより大きい圧力下での貯蔵値を有する貯蔵要素と、を含む吸収性物品。
【請求項２】
第１のウエスト区域、第１のウエスト区域に対向する第２のウエスト区域、及び第１ウエスト区域と第２のウエスト区域との間に配設される股区域を更に備える請求項１の吸収性物品であって、
液体透過性トップシートと、
トップシートの少なくとも一部分へ接合される液体不透過性バックシートと、及び
トップシートの少なくとも一部分とバックシートとの間に配設される吸収性コアと、を含む吸収性物品。
【請求項３】
三次元ウエブは、嵩高不織材料又はループ状の材料を含み、その嵩高不織材料又はループ状の材料は、親水性、疎水性、減摩性又はそれらの組合せたものである、上述の請求項のいずれかの吸収性物品。
【請求項４】
前記受入れ物品は、約２５ｇｓｍから少なくとも約３０ｇｓｍまでの坪量、約５０％から約７０％までの有効開口面積、及び約４．０ｍｍ２から約６．０ｍｍ２までの主開口サイズも有する網状織物を含む、上述の請求項のいずれかの吸収性物品。
【請求項５】
前記三次元ウエブは、一般に均一の平均高さを有し、前記平均高さは、約０．５ミリメートルよりも大きく、より好ましくは約２．５ミリメートルよりも大きい、上述の請求項のいずれかの吸収性物品。
【請求項６】
前記三次元ウエブは、約５ｇｓｍ乃至約３００ｇｓｍの坪量を有する材料を含む、上述の請求項のいずれかの吸収性物品。
【請求項７】
前記貯蔵要素は、前部主要表面及び後部主要表面を有する裏材を更に含み、前記裏材の前記前部主要表面は、前記接着自在箇所の接着部分において前記三次元ウエブへ接合される、上述の請求項のいずれかの吸収性物品。
【請求項８】
前記裏材材料は、不織ウエブを含み、繊維を有し、前記繊維は、コンジュゲート繊維、スプリット繊維、ポリプロピレン繊維、ポリエチレン繊維、ポリエチレンテレフタレート繊維、ポリアミド繊維又はそれらの組合せから選択され、また好ましくは前記裏材材料構造部材は、個別の繊維、編繊維、不編繊維、スクリム織物、網状繊維、熱可塑性フイルム、ポーラスフイルム、開口化フイルム、開口形成フイルム、未開口化形成フイルム、不織ウエブ、通気性フイルム、マイクロポーラスフイルム、開口化不織ウエブ又はそれらの組合せ、もしくはそれ以上を含む、請求項７の吸収性物品。
【請求項９】
前記繊維は５０未満のデニールを有する請求項７の吸収性物品。
【請求項１０】
貯蔵要素は、不動化要素、好ましくはスクラバー粒状物、吸収材料又はそれらの組合せを含む、上述の請求項のいずれかの吸収性物品。
【発明の詳細な説明】
【産業上の利用分野】
【０００１】
本発明は、おむつ、成人用失禁製品、生理用ナプキンなどの使い捨て吸収性物品を含む、身体排泄物を吸収及び／又は収容する物品に関する。特に、本発明は、改良された便状物質管理特性を有する使い捨て吸収性物品に関する。
【発明の概要】
【発明が解決しようとする課題】
【０００２】
おむつ、及び成人失禁用ブリーフのような吸収性物品の主な機能は、身体排泄物が、着用者と接触する衣類又は寝具などの他の物品を汚し、濡らし、又はその他の形で汚染することを防止することにある。近年になって、１９７５年１月１４日にＫｅｎｎｅｔｈ  Ｂａｒｃｌａｙ  Ｂｕｅｌｌへ付与された米国特許第３，８６０，００３号に開示されるもののような使い捨ておむつが、一般に数多く使用されており、その便宜性と確実性のために、耐久性のある布製の吸収性物品に取って代わってきた。しかしながらそのような使い捨て吸収性物品の有効性にもかかわらず、身体排泄物は、依然漏れたり、又はおむつ内に貯蔵するので、着用者の皮膚を汚したり、及び／又は刺激することが多い。
【０００３】
漏れ及び／又は不適当な収容の好ましくない影響は、おむつ内に堆積される便状物質に関して特に明らかである。おむつ内に堆積される便が経時的に着用者の皮膚を傷める恐れがあり、またおむつからの便の漏れにより、殆ど例外なく不快で厄介な清浄化処置が必要となる。かくして、バリヤー、ポケット、スペーサ、横方向バリヤー、及び開口トップシートなどの機能をおむつへ付与し、及び／又は便状物質をおむつ内に一層効果的に収容しようとする幾つかの試みがなされてきた。しかしながらそのような試みは、そのコストと複雑性により、又は便の悪影響の減少には限界があることにより、一般に成果をあげていない。
【０００４】
本発明を身体排泄物の改良された管理を提供するように適応できるが、以下に説明される実施例は、粘性流体身体排泄物の管理に特に適切である。そのような粘性流体身体排泄物には、軟便又は流動性便などが含まれ、そのような便は、尿より一般に粘性が高いが、通常の固形成人便よりも低い。粘性流体身体排泄物は、尿のような非常に低粘性流体を取り入れ移送する通常の毛管作用により、そのような粘性流体身体排泄物を移動するには不十分であるので、従来の吸収性構造物に吸収及び／又は収容するのが難しい。かくして粘性流体身体排泄物は、物品のトップシート上に溜まることが多く、そこにおいて移動が一般に制限されないので、着用者の皮膚へ近づき接触する。更に排泄物の流体特性により、トップシートを通して排泄物が流れ、時には物品から漏れる。したがって粘性流体身体排泄物の特殊な特性は、受入れ、貯蔵及び圧縮変転下での不動化の構造物により、対応する必要がある。
【０００５】
したがって、改良された便管理特性を有する吸収性構造物を提供することが望ましい。更に着用者又は介護者への悪影響を最小にする機能を有する経済的な使い捨て吸収性物品を提供することが好都合であろう。また便状物質、特に軟便又は流動性便のような比較的低粘性便状物質のような粘性流体身体排泄物を受入れるように特に設計された吸収性物品を提供することが好都合であろう。更に予定使用期間を通して着用者の皮膚及び／又は衣類から安全かつ清浄に離して、中に堆積された便を貯蔵するに足る有効容量と保持能力を有する吸収性物品を提供することが望ましいであろう。
【課題を解決するための手段】
【０００６】
粘性流体身体排泄物を一層良く管理するために、本発明は、第１のウエスト区域、第１のウエスト区域に対向する第２のウエスト区域、及び第１のウエスト区域と第２のウエスト区域との間に配設される股区域を有する吸収性物品を提供する。吸収性物品は好ましくは、液体透過性トップシート、トップシートの少なくとも一部分へ接合される液体不透過性バックシート、トップシートの少なくとも一部分とバックシートとの間に配設される吸収性コア、及び股区域の少なくとも一部分に配設される排泄物管理要素を含む。排泄物管理要素は、エネルギー入力のミリジュール当たり、かつ排泄物管理要素の平方インチ当たり粘性流体身体排泄物の約０．５０グラムよりも大きい、圧力下での許容値を有する。この改良された受入性能により、粘性流体身体排泄物をその物品により急速かつ効果的に吸収することができる。吸収性物品は好ましくは、排泄物を着用者の皮膚から離して貯蔵する箇所を提供するように、排泄物管理要素の平方インチ当たり粘性流体身体排泄物の少なくとも約０．７０グラムの圧力下での貯蔵値を有する。したがって本発明の吸収性物品は、着用者の皮膚を傷める可能性を減少し、及び／又は排便及び特に流動性便に通常関与する介護者の不便を減少できる。
【０００７】
本明細書は、本発明とみなされる、特に指摘されかつ明確に請求される内容を請求項に含めるが、その説明は、同様な表示記号がほぼ同一の要素を指すのに図面中で使用される添付図面を参照してなされる以下の説明から一層良く理解されると信じられる。
【０００８】
本明細書で使用される用語「吸収性物品」とは、身体排泄物を吸収し収容する物品を指し、具体的には、着用者の身体へ押付けられ、又はそれに近接し、身体から排出される種々の排泄物を吸収し収容する物品を指す。用語「使い捨て」とは、吸収性物品として一般に洗濯もしくは他の方法で回復又は再使用されないのを意図する吸収性物品を説明するのにここでは使用される（すなわち、その物品は、一回の使用後に廃棄され、また好ましくは環境に適応した仕方でリサイクルされるか、堆肥化されるか、又は他の方法で処分されるのを意図する）。（ここで使用される用語「配設される」とは、おむつの１つ又はそれ以上の要素が、おむつの他の要素と共に単一の構造物として、又はおむつの他の要素へ接合される別個の要素として、特定の場所又は位置に形成（接合又は位置決め）されることを意味するのに使用される。ここで使用される用語「接合される」とは、１つの要素が、他の要素へ装着することにより、他の要素へ直接固定される接続形態、及び１つの要素が、中間部材へ装着することにより間接的に固定され、その中間部材がついで他の要素へ装着される接続形態を包含する。）「単一の」吸収性物品とは、共に接合される別個の部分から形成されて、別個のホルダー又はライナーのような別個の操作部分を必要としないように連係された実体を形成する吸収性物品を指す。本発明の吸収性物品の好ましい実施例は、図１に示される単一の使い捨て吸収性物品のおむつ２０である。ここで使用される用語「おむつ」とは、一般に幼児及び失禁者により胴体下部の周りに着用される吸収性物品を指す。
また本発明は、失禁用ブリーフ、失禁用下着、吸収用挿入部材、おむつホルダーとライナー、女性用衛生衣類、拭き取り用品、モップ及び包帯などのような他の吸収性物品にも適用できる。
【０００９】
図１は、平坦にした状態における本発明のおむつ２０の平面図であり、おむつ２０の構成をより明確に示すために構造物の一部を切り欠いている。着用者に面するおむつ２０の部分は、観察者へ向けて配向される。図１に示されるようにおむつ２０は好ましくは、液体透過性トップシート２４と、液体不透過性バックシート２６と、トップシート２４の少なくとも一部とバックシート２６との間に好ましくは位置決めされる吸収性コア２８と、サイドパネル３０と、弾性脚カフス３２と、弾性ウエスト機能部分３４と、及び一般に４０で示される締結システムとを含む。おむつ２０は、図１において、第１のウエスト区域３６、第１のウエスト区域３６に対向する第２のウエスト区域３８、及び第１のウエスト区域３６と第２のウエスト区域３８との間に配設される股区域３７を有するのが示される。おむつ２０の周囲は、おむつ２０の外縁部により形成され、そこにおいて長手方向縁部５０が、おむつ２０の長手方向中心線１００へ一般に平行に設けられ、また端部縁部５２が、おむつ２０の横方向中心線１１０へ一般に平行な長手方向縁部５０の間に設けられる。
【００１０】
おむつ２０の基台２２は、おむつ２０の本体を含む。基台２２は、吸収性コア２８の少なくとも一部と、及び好ましくは、トップシート２４とバックシート２６を備える外部被覆層とを含む。吸収性物品が別個のホルダーとライナーを含むならば、基台２２は、一般にホルダーとライナーを含む。（例えば、ホルダーは物品の外部被覆を形成するように１枚以上の材料層を含むことができ、またライナーはトップシート、バックシート及び吸収性コアを備える吸収性集成物を含むことができる。そのような場合、ホルダー及び／又はライナーは、使用期間を通してライナーを所定位置に保持するのに使用される締付け部材を含むことができる。）単一の吸収性物品の場合、基台２２は、おむつの主要構造部材を含み、他の機能部分がおむつ構造物を形成するために付加される。トップシート２４、バックシート２６及び吸収性コア２６は、種々の既知の接続形態で集成できるが、おむつの好ましい接続形態は、一般に下記の特許に記載される。すなわち、１９７５年１月１４日にＫｅｎｎｅｔｈ  Ｂ．Ｂｕｅｌｌへ付与された「使い捨ておむつの収縮性側部分」という名称の米国特許第３，８６０，００３号、１９９３年６月２２日にＢｕｅｌｌに付与された米国特許第５，２２１，２７４号、１９９２年９月９日にＢｕｅｌｌへ付与された米国特許第５，１５１，０９２号、１９９６年９月１０日にＲｏｅなどへ付与された「多ゾーン構造的弾性状フイルムエブ延伸自在ウエスト機能部分を有する吸収性物品」という名称の米国特許第５，５５４，１４５号、１９９６年１０月２９日にＢｕｅｌｌなどへ付与された「使い捨てプルオンパンツ」という名称の米国特許第５，５６９，２３４号、１９９６年１２月３日にＮｅａｓｅなどへ付与された「吸収性物品用サイドパネルを製造するゼロスクラップ方法」という名称の米国特許第５，５８０，４１１号、及びＲｏｂｌｅｓなどの名前で１９９７年８月２０日に出願された「多方向延伸性サイドパネルを有する吸収性物品」という名称の米国特許出願番号０８／９１５，４７１であり、以上の特許のそれぞれはここに参照として組込まれる。
【００１１】
バックシート２６は、吸収性コア２８の衣類に面する表面４５に隣接して位置決めされる一般におむつ２０の部分であり、それに吸収及び収容される排泄物が、ベッドシーツや下着などのおむつ２０と接触する物品を汚すのを防止する。好ましい実施例においてバックシート２６は、液体（例えば尿）に対して不透過であり、また約０．０１２ｍｍ（０．５ミル）乃至約０．０５１ｍｍ（２．０ミル）の厚さを有する熱可塑性フイルムのような薄いプラスチックフイルムを含む。
適切なバックシートフイルムには、インディアナ州Ｔｅｒｒｅ  ＨａｕｔｅにあるＴｒｅｄｅｇａｒ  Ｉｎｄｕｓｔｒｉｅｓ  Ｉｎｃ．により製造され、かつＸ１５３０６、Ｘ１０９６２及びＸ１０９６４の商品名で販売されるものがある。
他の適切なバックシート材料は、排泄物がバックシート２６を通過するのを依然防止しながら、蒸気がおむつ２０から逃げることができる通気性材料でもよい。
代表的な通気性材料として、織ウエブ、不織ウエブ、フイルム被覆不織ウエブのような複合材料、及びＥＳＰＯＩＲ  ＮＯの名称で日本の三井東圧株式会社により、またＥＸＸＡＩＲＥの名称でテキサス州Ｂａｙ  ＣｉｔｙにあるＥＸＸＯＮ  Ｃｈｅｍｉｃａｌ  Ｃｏ．により製造されるような多孔性フイルムなどがある。ポリマーブレンドを含む適切な通気性複合材料は、ＨＹＴＲＥＬブレンドＰ１８−３０９７の名称でオハイオ州シンシナチにあるＣｌｏｐａｙ  Ｃｏｒｐｏｒａｔｉｏｎから入手できる。そのような通気性複合材料は、Ｅ．Ｉ．ＤｕＰｏｎｔの名前で１９９５年６月２２日に公告されたＰＣＴ出願番号ＷＯ  ９５／１６７４６、及びＣｕｒｒｏの名前で１９９６年１１月６日に出願された同時係属米国特許出願番号０８／７４４，４８７に詳細に記載される。不織ウエブ及び開口形成フイルムを含む他の通気性バックシートは、１９９６年１１月５日にＤｏｂｒｉｎなどに付与された米国特許第５，５７１，０９６号に記載される。これらの参考特許のそれぞれは、ここに参照として組込まれる。
【００１２】
バックシート２６、又はその一部分は、１つ以上の方向に弾性的に延伸自在にできる。一実施例においてバックシート２６は、構造的に弾性状のフイルム（「ＳＥＬＦ」）ウエブを含むことができる。構造的に弾性状のフイルムエブは、追加の弾性材料を使用することなく、伸び方向に弾性状挙動を示す延伸自在の材料である。ＳＥＬＦウエブは、少なくとも２つの連続し別個のかつ異なる区域を有する緊張自在の網目を含む。好ましくは区域の１つは、所定の軸へ平行な方向に加えられる軸方向の伸びに応答して抵抗力を生じてから、他の区域のかなりの部分が、その加えられた伸びに対してかなりの抵抗力を発生するように構成される。区域の少なくとも１つは、材料が非引っ張り状態にある間に、所定の軸に対してほぼ平行に測定した時に、他の区域のものよりも大きい表面通路長さを有する。この長い表面通路長さを示す区域は、他の区域の平面を越えて延びる１つ以上の変形部を含む。ＳＥＬＦウエブは、所定の軸に平行な方向に加えられる伸びを受ける時、少なくとも１つの所定の軸に沿う伸びに対して制御された抵抗力の少なくとも２つのかなり異なる段階を示す。ＳＥＬＦウエブは、ウエブの伸びが、長い表面通路長さを有する区域のかなりの部分を、加えられた伸びの平面に入りきるよう延びるまで、加えられた伸びに対して第１の抵抗力を生じ、その結果、ＳＥＬＦウエブは、さらなる伸びに対して第２の抵抗力を生じる。伸びに対する合計抵抗力は、第１の区域により提供された伸びに対する第１の抵抗力よりも大きい。本発明にとり適切なＳＥＬＦウエブは、１９９６年５月２１日にＣｈａｐｐｅｌｌなどに付与された「弾性状挙動を示すウエブ材料」という名称の米国特許第５，５１８，８０１号に一層詳細に記載され、ここに参照として組込まれる。他の実施例においてバックシート２６は、弾性フイルム、フォーム、ストランド、もしくはこれら又は他の適切な材料と不織フイルム又は合成フイルムとの組合せ含むことができる。
【００１３】
バックシート２６は、技術上既知の装着手段により、トップシート２４、吸収性コア２８又はおむつ２０の他の要素へ接合できる。例えば、装着手段としては、接着剤の均一連続層、接着剤のパターン層、もしくは接着剤の個々の線、渦巻き又は点の列を含むことができる。１つの好ましい装着手段は、接着剤のフィラメントの開放パターン網目を含み、それは、１９８６年３月４日にＭｉｎｅｔｏｌａなどに付与された「使い捨て排泄物収容衣類」という名称の米国特許第４，５７３，９８６号に開示される。他の適切な装着手段としては、渦巻き状に渦を巻いた接着剤フィラメントの数本の線を含み、以下の特許に示される機器と方法により図示される。すなわち、１９７５年１０月７日にＳｐｒａｇｕｅ，Ｊｒ．に付与された米国特許第３，９１１，１７３号、１９７８年１１月２２日にＺｉｅｃｋｅｒなどに付与された米国特許第４，７８５，９９６号、及び１９８９年６月２７日にＷｅｒｅｎｉｃｚに付与された米国特許第４，８４２，６６６号である。これらの特許のそれぞれは、ここに参照として組込まれる。妥当であると判明した接着剤は、ミネソタ州セントポールにあるＨ．Ｂ．Ｆｕｌｌｅｒ  Ｃｏｍｐａｎｙにより製造され、かつＨＬ−１６２０及びＨＬ−１３５８−ＸＺＰとして市販される。代わりに、装着手段は、加熱接着、圧力接着、超音波結合、動的機械的接着、もしくは技術上周知であるように他の適切な接着手段又はこれらの接着手段の組合せを含むことができる。
【００１４】
トップシート２４は好ましくは、吸収性コア２８の本体表面４７に隣接して位置決めされ、また技術上既知の装着手段により吸収性コア２８へ、及び／又はバックシート２６へ接合できる。適切な装着手段は、バックシート２６をおむつ２０の他の要素へ接合する手段に関して前述した通りである。本発明の１つの好ましい実施例においてトップシート２４及びバックシート２６は、幾つかの箇所において互いに直接接合され、またおむつ２０の他の要素へそれらを直接接合することにより、他の箇所において共に間接的に接合される。
【００１５】
トップシート２４は好ましくは、着用者の皮膚に対して形状が合致し、柔らかな感触を与え、非刺激性のものである。更にトップシート２４の少なくとも一部分は、液体透過性であり、その厚さを通して液体を容易に浸透できるものである。適切なトップシート２４は、多孔性発泡体、網状発泡体、開口化プラスチックフイルム、もしくは天然繊維（例えば木材繊維又は綿繊維）、合成繊維（例えばポリエステル繊維又はポリプロピレン繊維）又は天然繊維と合成繊維の組合せの織ウエブ又は不織ウエブなどの広範囲の材料で製造できる。吸収性集成物が繊維を含むならば、その繊維は、スパンボンド布、カード布、ウエットレイド布、メルトブラウン布、ヒドロエンタングル布又は技術上既知の他の方法で処理した布でよい。ステープル長ポリプロピレン繊維のウエブを含む１つの適切なトップシート２４は、Ｐ−８の名称でマサチューセッツ州ＷａｌｐｏｌｅにあるＶｅｒａｔｅｃ，Ｉｎｃ．、ａ  Ｄｉｖｉｓｉｏｎ  ｏｆ  Ｉｎｔｅｒｎａｔｉｏｎａｌ  Ｐａｐｅｒ  Ｃｏｍｐａｎｙにより製造される。
【００１６】
適切に形成されたフイルムトップシートは、以下の特許に記載される。すなわち、１９７５年１２月３０日にＴｈｏｍｐｓｏｎに付与された「先細の毛細管を有する吸収性構造物」という名称の米国特許第３，９２９，１３５号、１９８２年４月１３日にＭｕｌｌａｎｅなどに付与された「耐汚染性トップシートを有する使い捨て吸収性物品」という名称の米国特許第４，３２４，２４６号、１９８２年８月３日にＲａｄｅｌなどに付与された「繊維状特性を示す弾性プラスチックウエブ」という名称の米国特許第４，３４２，３１４号、１９８４年７月３１日にＡｈｒなどに付与された「非光沢可視表面と布状触覚を示す巨視的に発泡された三次元プラスチックウエブ」という名称の米国特許第４，４６３，０４５号、及び１９９１年４月９日にＢａｉｒｄに付与された「多層ポリマーフイルム」という名称の米国特許第５，００６，３９４号である。他の適切なトップシート３０は、１９８６年９月２日及び１９８６年１２月１６日にそれぞれＣｕｒｒｏなどに付与された米国特許第４，６０９，５１８号及び第４，６２９，６４３号に従って製造され、その両方の特許はここに参照として組込まれる。そのように形成されたフイルムは、「ＤＲＩ−ＷＥＡＶＥ」としてオハイオ州シンシナティにあるＰｒｏｃｔｅｒ＆  Ｇａｍｂｌｅ  Ｃｏｍｐａｎｙから、及び「ＣＬＩＦＦ−Ｔ」としてインディアナ州Ｔｅｒｒｅ  ＨａｕｔｅにあるＴｒｅｄｅｇａｒ  Ｃｏｒｐｏｒａｔｉｏｎから入手できる。
【００１７】
好ましくはトップシート２４は、着用者の皮膚を吸収性コア２８に収容される液体から隔離するために、疎水性材料から製造されるか、又は疎水性であるように処理される。トップシート２４が疎水性材料から製造されるならば、好ましくはトップシート２４の少なくとも上面は、液体がトップシートを通して一層急速に移行するように親水性であるように処理される。これにより、身体排泄物がトップシート２４を通して引き出され吸収性コア２８により吸収されないで、むしろトップシートから外へ流出する可能性が減少する。トップシート２４は、界面活性剤で処理することにより、又は界面活性剤をトップシート中に組込むことにより親水性にされることができる。界面活性剤でトップシート２４を処理する適切な方法には、トップシート２４の材料を界面活性剤で噴霧する方法、及びその材料を界面活性剤中に浸漬する方法がある。そのような処理と親水性の詳細な検討は、以下の特許に記載される。すなわち、１９９１年１月２９日にＲｅｉｓｉｎｇなどに付与された「多層吸収層を有する吸収性物品」という名称の米国特許第４，９８８，３４４号、及び１９９１年１月２９日にＲｅｉｓｉｎｇに付与された「急速に吸収する吸収性コアを有する吸収性物品」という名称の米国特許第４，９８８，３４５号である。トップシートに界面活性剤を組込む幾つかの適切な方法の詳細な検討は、Ａｚｉｚなどの名前で１９９７年７月１日に公告された米国法定発明登録番号Ｈ１６７０に見出すことができる。これらの参考特許のそれぞれは、ここに参照として組込まれる。代わりに、トップシート２４は、疎水性である開口化ウエブ又はフイルムを含むことができる。これは、生産工程から親水性処理段階を無くし、及び／又は後述するように、ＳＣＯＴＣＨＧＵＡＲＤのようなポリテトラフルオロエチレン化合物又は疎水性ローション配合物のような疎水性処理剤をトップシート２４へ適用して、達成できる。そのような実施例において、開口は、かなりの抵抗無しに水性の流体状尿を通過させるに足るように大きいことが好ましい。
【００１８】
トップシート２４の一部分に、技術上既知のローションを塗布できる。適切なローションの例としては、以下の特許に記載されるものがある。すなわち、１９９７年３月４日にＲｏｅに付与された「皮膚軟化剤とポリオールポリエステル不動化剤を含有するローション処理されたトップシートを有する使い捨て吸収性物品」という名称の米国特許第５，６０７，７６０号、１９９７年３月１１日にＲｏｅに付与された「液体ポリオールポリエステル皮膚軟化剤と不動化剤から成るローショントップシートを有するおむつ」という名称の米国特許第５，６０９，５８７号、１９９７年６月３日にＲｏｅ他に付与された「ポリシロキサン皮膚軟化剤を含有するローション処理されたトップシートを有するおむつ」という名称の米国特許第５，６３５，１９１号、及び１９９７年７月１日にＲｏｅ他に付与された「ローション処理されたトップシートを有するおむつ」という名称の米国特許第５，６４３，５８８号である。ローションは、上述の疎水性化処理として、単独又は他の薬剤と組合せて機能できる。トップシートは、抗菌剤を含有するか、又はそれで処理でき、その幾つかの例が、Ｔｈｅｒｅｓａ  Ｊｏｈｓｏｎの名前で１９９５年９月１４日に公告された「臭い抑制のためにトップシート内に抗菌剤を含有する吸収性物品」という名称のＰＣＴ公開番号ＷＯ９５／２４１７３に開示される。更にトップシート２４、バックシート２６、もしくはトップシート又はバックシートの一部分を、一層布状外観を形成するために浮き出し加工及び／又は艶消仕上加工をすることができる。
【００１９】
吸収性コア２８は、着用者の皮膚に対して一般に圧縮性があり、形状合致で非刺激性であり、また尿及び一定の身体排泄物のような液体を吸収かつ保持できる吸収性材料を含むことができる。吸収性コア２８は、広範囲のサイズと形状（例えば方形形状、中央が細い形状、Ｔ形形状、非対称形状など）に製造でき、またエアフェルトと一般に呼ばれる微粉砕された木材パルプのような、使い捨ておむつ及び他の吸収性物品に通常使用される広範囲の液体吸収材を含むことができる。他の適切な吸収材の例としては、縮みセルロース詰め物（ｃｒｅｐｅｄ  ｃｅｌｌｕｌｏｓｅ  ｗａｄｄｉｎｇ）、コーフォームを含むメルトブラウンポリマー、化学的に剛化あるいは改質又は架橋されたセルロース繊維、組織ラップと組織積層を含む組織、吸収性発泡体、吸収性スポンジ、超吸収性ポリマー、吸収性ゲル化材料、もしくは他の既知の吸収性材料又は材料の組合せとがある。
【００２０】
吸収性コア２８の形状と構造も変えることができる（例えば、吸収性コア又は他の吸収性構造部材は、異なる厚さのゾーン、親水性勾配、超吸収性勾配、又は低平均密度と低平均坪量の獲得帯（ａｃｑｕｉｓｉｔｉｏｎ  ｚｏｎｅｓ）を有することができるか、もしくは１つ以上の層又は構造部材を有することができる）。しかしながら吸収性コア２８の合計吸収容量は、設計負荷とおむつ２０の意図される用途に対応すべきである。
【００２１】
吸収性集成物として使用される代表的な吸収性構造物が以下の特許に記載される。すなわち、１９８６年９月９日にＷｅｉｓｍａｎなどに付与された「高密度吸収性構造物」という名称の米国特許第４，６１０，６７８号、１９８７年６月１６日にＷｅｉｓｍａｎなどに付与された「二重層コアを有する吸収性物品」という名称の米国特許第４，６７３，４０２号、１９８９年５月３０日にＡｌｅｍａｎｙなどに付与された「低密度と低坪量の獲得帯（ａｃｑｕｉｓｉｔｉｏｎ  ｚｏｎｅｓ）を有する高密度吸収性部材」という名称の米国特許第４，８３４，７３５号、１９８９年１２月１９日にＡｎｇｓｔａｄｔに付与された「除塵層を有する吸収性コア」という名称の米国特許第４，８８８，２３１号、１９９２年８月１１日にＨｅｒｒｏｎらなどに付与された「単一化されたポリカルボン酸架橋木材パルプセルロース繊維を含有する吸収構造」という名称の米国特許第５，１３７，５３７号、１９９２年９月１５日にＹｏｕｎｇらなどに付与された「失禁管理用の高効率吸収性物品」という名称の米国特許第５，１４７，３４５号、１９９４年８月３０日にＲｏｅに付与された「低粘性便状物質用の使い捨て吸収性物品」という名称の米国特許第５，３４２，３３８号、１９９３年１１月９日にＤｅｓＭａｒａｉｓなどに付与された「水性身体排泄物用の吸収性発泡材料とそのような材料を含む吸収性物品」という名称の米国特許第５，２６０，３４５号、１９９５年２月７日にＤｙｅｒなどに付与された「水性身体排泄物用の湿潤まで薄い吸収性発泡材料及びその材料を製造するプロセス」という名称の米国特許第５，３８７，２０７号、及び１９９７年７月２２日にＤｅｓＭａｒａｉｓなどに付与された「非常に高い水対油比を有する高不連続相エマルジョンから製造された水性流体用の吸収性発泡材料」という名称の米国特許第５，６２５，２２２号である。これらの特許のそれぞれは、ここに参照として組込まれる。
【００２２】
おむつ２０は、改良された適合と収容に役立つ少なくとも１つの弾性ウエスト機能部材３４も有することができる。弾性ウエスト機能部材３４は、着用者のウエストに動的に適合するために、一般に弾性的に伸縮するようになっている。弾性ウエスト機能部材３４は好ましくは、吸収性コア２８の少なくとも１つのウエスト縁部６２から少なくとも長手方向外側に延び、またおむつ２０の端部縁部５２の少なくとも一部分を一般に形成する。使い捨ておむつは、１つが第１のウエスト区域３６に位置決めされ、１つが第２のウエスト区域３８に位置決めされる２つの弾性ウエスト機能部材を有するように構成されることが多い。更に、弾性ウエスト機能部材３４又はその要素は、おむつ２０へ装着される１つ以上の別個の要素を含むことができるが、弾性ウエスト機能部材３４は、バックシート２６、トップシート２４、又は両方のバックシート２６とトップシート２４のようなおむつ２０の他の要素の伸張部として構成できる。
【００２３】
弾性ウエスト機能部材３４は、以下の特許に記載されるものを含む幾つかの異なる形状で構成できる。すなわち、１９８５年５月７日にＫｉｅｖｉｔなどに付与された米国特許第４，５１５，５９５号、１９８７年１２月１日にＬａｓｈに付与された米国特許第４，７１０，１８９号、１９９２年９月９日にＢｕｅｌｌに付与された米国特許第５，１５１，０９２号、及び１９９３年６月２２日にＢｕｅｌｌに付与された米国特許第５，２２１，２７４号である。他の適切なウエスト形状は、１９９１年６月２５日にＲｏｂｅｒｔｓｏｎに付与された米国特許第５，０２６，３６４号、及び１９８９年３月２８日にＦｏｒｅｍａｎに付与された米国特許第４，８１６，０２５号に記載されるものようなウエストキャップを含むことができる。上述の引例の全ては、ここに参照として組込まれる。
【００２４】
おむつ２０は、締結システム４０も含有できる。締結システム４０は好ましくは、着用者上におむつ２０を保持するために、おむつ２０の周辺に横方向張力を形成するように、重なる形状に第１のウエスト区域３６と第２のウエスト区域３８を維持する。締結システム４０は好ましくは、構造部材を締付けるテープタブ及び／又はフックとループを含むことができる。ただし他の既知の締結手段も一般に受入れできる。幾つかの代表的な締結システムが、以下の特許に開示される。すなわち、１９７４年１１月１９日にＢｕｅｌｌに付与された「使い捨ておむつ用のテープ締結システム」という名称の米国特許第３，８４８，５９４号、１９８７年５月５日にＨｉｒｏｔｓｕなどに付与された「吸収性物品」という名称の米国特許第Ｂ１−４，６６２，８７５号、１９８９年７月１１日にＳｃｒｉｐｐｓに付与された「改良された締結装置を有する使い捨ておむつ」という名称の米国特許第４，８４６，８１５号、１９９０年１月１６日にＮｅｓｔｅｇａｒｄに付与された「改良されたフック締結装置部分を有する使い捨ておむつ」という名称の米国特許第４，８９４，０６０号、１９９０年８月７日にＢａｔｔｒｅｌｌに付与された「粘着締結装置とそれを製造する方法」という名称の米国特許第４，９４６，５２７号、及び１９９２年９月９日にＢｕｅｌｌに付与され、ここで先に引用された米国特許第５，１５１，０９２号、及び１９９３年６月２２日にＢｕｅｌｌに付与された米国特許第５，２２１，２７４号である。締結システムは、１９９０年１０月１６日にＲｏｂｅｒｔｓｏｎなどに付与された米国特許第４，９６３，１４０号に開示される使い捨て形状の物品を保持する手段も設けることができる。これらの特許のそれぞれは、ここに参照として組込まれる。別の実施例において、衣類の両側を接合又は溶接してパンツを形成できる。これにより、物品を、トレーニングパンツのようなプルオン式（引っ張ってはく）おむつとして使用できる。
【００２５】
おむつ２０は、サイドパネル３０も含むことができる。サイドパネル３０は、おむつ２０が排泄物を受けた時に、着用者へ先ずおむつ２０を従順に適合させ、ついで着用期間を通して適合を維持することにより、一層快適で輪郭適合を形成するように弾性又は延伸自在にできる。というのは、弾性化したサイドパネル３０により、おむつ２０の両側が広がり、かつ伸縮できるからである。使用中に、おむつ着用者が一方のサイドパネル３０を他方のサイドパネル３０よりも更に引っ張る場合でも、着用中、おむつ２０が「自己調整」するので、サイドパネル３０により、おむつ２０の一層有効な使用ができる。
【００２６】
本発明のおむつ２０は好ましくは、第２のウエスト区域３８に配設されるサイドパネル３０を有するが、おむつ２０には、第１のウエスト区域３６又は両方の第１のウエスト区域３６と第２のウエスト区域３８に配設されるサイドパネル３０を設けることができる。サイドパネル３０は、適切な形状で構成できる。弾性化されたサイドパネル３０を有するおむつの例は、以下の特許に開示される。すなわち、１９８９年８月１５日にＷｏｏｄなどに付与された「シャーリングを付けた耳パネルを有する使い捨ておむつ」という名称の米国特許第４，８５７，０６７号、１９８３年５月３日にＳｃｉａｒａｆｆａなどに付与された米国特許第４，３８１，７８１号、１９９０年７月３日にＶａｎ  Ｇｏｍｐｅｌなどに付与された米国特許第４，９３８，７５３号、１９９２年９月９日にＢｕｅｌｌに付与された、ここで先に引用された米国特許第５，１５１，０９２号、及び１９９３年６月２２日にＢｕｅｌｌに付与された米国特許第５，２２１，２７４号、１９９７年９月２３日にＬａＶｏｎなどに付与された「動的適合を維持する吸収性物品」という名称の米国特許第５，６６９，８９７号、及びＲｏｂｌｅｓなどの名前で１９９３年１１月１９日に出願された「多方向延伸性のサイドパネルを有する吸収性物品」という名称の米国特許出願第０８／１５５，０４８号があり、これらの特許のそれぞれは、ここに参照として組込まれる。
【００２７】
おむつ２０は好ましくは、液体及び他の身体排泄物の収容方法を改良したレッグカフス３２を更に含有する。レッグカフスは、脚部バンド、サイドフラップ、バリヤカフス又は弾性カフスとも呼ぶことができる。米国特許第３，８６０，００３号には、サイドフラップを有する収縮自在の脚開口部と弾性化されたレッグカフス（ガスケットカフス）を形成する１つ以上の弾性部材を備える使い捨ておむつが開示される。１９８９年２月２８日及び１９９０年３月２０日それぞれにＡｚｉｚなどに付与された米国特許第４，８０８，１７８号及び第４，９０９，８０３号には、脚部区域の収容方法を改良する「直立」する弾性化されたフラップ（ガスケットカフス）を有する使い捨ておむつが記載される。それぞれ１９８７年９月２２日にＬａｗｓｏｎに付与され、及び１９８９年１月３日にＤｒａｇｏｏに付与された米国特許第４，６９５，２７８号及び第４，７９５，４５４号には、ガスケットカフスとガスケットカフスを含む二重カフスを有する使い捨ておむつが記載される。幾つかの実施例において、上述のようにローションでレッグカフスの全て又は一部分を処理するのが望ましいことがある。
【００２８】
本発明の実施例は、排泄物を受容し収容するポケット、排泄物用の空隙を形成するスペーサ、物品内での排泄物の移動を制限するバリヤ、及びおむつ内に堆積される排泄物を受容し収容する隔室、または空隙など、又はそれらの組合せも備えることができる。吸収性物品に使用されるポケットとスペーサの例は、以下の特許に記載される。すなわち、１９９６年５月７日にＲｏｅなどに付与された「排除スペーサを有するおむつ」という名称の米国特許第５，５１４，１２１号、１９９２年１２月１５日にＤｒｅｉｅｒなどに付与された「コアスペーサを有する使い捨て吸収性物品」という名称の米国特許第５，１７１，２３６号、１９９５年３月１４日にＤｒｅｉｅｒに付与された「ポケットカフスを有する吸収性物品」という名称の米国特許第５，３９７，３１８号、１９９６年７月３０日にＤｒｅｉｅｒに付与された「頂点を備えたポケットカフスを有する吸収性物品」という名称の米国特許第５，５４０，６７１号、及び１９９３年１２月３日に公告された「吸収性衛生物品に使用されるスペーサ及びそのようなスペーサを有する使い捨て吸収性物品」という名称のＰＣＴ出願番号ＷＯ−９３／２５１７２、及び１９９４年４月２６日にＦｒｅｅｌａｎｄに付与された「使い捨て吸収性物品に使用される屈曲自在のスペーサ」という名称の米国特許第５，３０６，２６６号である。隔室又は空隙の例は、以下の特許に開示される。すなわち、１９９０年１１月６日にＫｈａｎに付与された「便を区分する使い捨ておむつ」という名称の米国特許第４，９６８，３１２号、１９９１年２月５日にＦｒｅｅｌａｎｄに付与された「排泄物隔離用の弾性ライナーを有する吸収性物品」という名称の米国特許第４，９９０，１４７号、
１９９１年１１月５日にＨｏｌｔなどに付与された「使い捨ておむつ」という名称の米国特許第５，６２，８４０号、及び１９９３年１２月１４日にＦｒｅｅｌａｎｄなどに付与された「使い捨て吸収性物品に使用される３セクションのトップシート及びそのような３セクションのトップシートを有する使い捨て吸収性物品」という名称の米国特許第５，２６９，７５５号である。適切な横方向バリヤの例は、以下の特許に記載される。すなわち、１９９６年９月１０日にＤｒｅｉｅｒ等の名前で付与された「複数の有効高さの横方向仕切りを有する吸収性物品」という名称の米国特許
第５，５５４，１４２号、１９９４年７月７日にＦｒｅｅｌａｎｄなどの名前で公告された「直立する横方向仕切りを有する吸収性物品」という名称のＰＣＴ出願番号ＷＯ−９４／１４３９５、及び１９９７年８月５日にＲｏｅなどに付与された「斜めに直立する横方向仕切りを有する吸収性物品」という名称の米国特許第５，６５３，７０３号である。上述の引例の全ては、ここで参照として組込まれる。
【００２９】
上述の空隙、ポケット及びバリヤに加えて、又はそれらの代わりに、本発明の実施例は好ましくは、流動性便のような粘性流体身体排泄物を効果的にかつ有効に受入れ、貯蔵及び／又は不動化できる排泄物管理要素１２０を備えることができる。排泄物管理要素１２０は、股区域又はウエスト区域一方を含む物品内の任意の区域に位置決めでき、またコア２８やレッグカフスのような構造部材に接続できるか、又はその中に備えることができる。好ましい実施例において排泄物管理要素１２０は、着用した時に着用者の肛門に近い、物品中の区域内に位置決めできる。これにより、排出された排泄物が排泄物管理要素１２０上に、又はその近くに確実に堆積される。
【００３０】
ここで使用される用語「粘性流体身体排泄物」すなわち「ＶＦＢＷ」とは、身体から排出される排泄物を一般に指し、その排泄物は、調整された応力レオメトリー計上の平行なプレートを使用して調整された応力レオメトリー計測定法試験において、１／秒のせん断速度（約３５度Ｃにおける）において約１０ｃＰよりも大きく、かつ約２×１０５ｃＰ未満の粘性、特に１／秒のせん断速度で約１０３ｃＰと１０５ｃＰとの間の粘性を有する。（参考までに、水は、２０度Ｃにおいて１．０ｃＰであり、またＪｉｆ  Ｃｒｅａｍｙピーナッツバター（オハイオ州シンシナティにあるＴｈｅ  Ｐｒｏｃｔｅｒ＆  Ｇａｍｂｌｅ  Ｃｏｍｐａｎｙから入手できる）は、同一のせん断速度で２５度Ｃにおいて約４×１０５ｃＰである）。ここで使用される、粘性を測定する方法は、以下の試験方法の項で詳細に説明される。
【００３１】
ここで使用される用語「受入れる」又は「受入」とは、構造部材上に堆積される物質による構造部材の浸透を指す。具体的には、受入という用語は、試験方法の項に述べられる圧力下での受入試験に規定される条件を受けた時の流体による構造部材の浸透を指す。浸透は、物質が上に堆積された構造部材の表面を通る物質の通過により定義される。不均一な構造部材の浸透は、物質が上に堆積された構造部材の表面を形成する平面を通る物質の通過と定義される。圧力下での受入、又は「受入」は、なされた単位仕事当たりで単位面積当たり構造部材の表面を浸透する物質の量として測定される。「仕事」とは、ある長さを通しての力の適用を指すエネルギー用語である。かくしてパワーを一層容易に受入れる構造部材すなわち要素は、構造部材により受入れられる粘性流体身体排泄物の単位質量当たり消費されるエネルギーを少なくて済む。ＶＦＢＷによる構造部材の浸透を記述する別の性能パラメータは、「感応性」である。ここで使用される用語「感応性」とは、試験方法の項に述べられる圧力下での感応性試験に規定される条件を受けた時にパワーの単位当たり単位面積当たり流体による構造部材の浸透を指す。圧力下での感応性又は「感応性」は、パワーの単位当たり単位面積当たり構造部材の表面を浸透する物質の量として測定される。「パワー」とは、時間の関数としてなされた仕事の量を指す用語である（すなわち仕事がなされる速度）。
【００３２】
好ましい実施例において本発明の吸収性物品は、エネルギー入力ｍＪ（ミリジュール）当たり排泄物管理要素１２０の平方インチ当たり粘性流体身体排泄物の約０．５ｇよりも大きい圧力下での受入を有する排泄物管理要素１２０を備えるべきである。より好ましくは、排泄物管理要素１２０は、粘性流体身体排泄物の約０．６ｇ／ｉｎ２／ｍＪよりも大きい圧力下での受入を有する。更により好ましくは、排泄物管理要素１２０は、粘性流体身体排泄物の約０．８ｇ／ｉｎ２／ｍＪよりも大きい、また最も好ましくは約１．０ｇ／ｉｎ２／ｍＪよりも大きい圧力下での受入を有する。一般に、少なくとも０．６ｇ／ｉｎ２／ｍＪと約１０．０ｇ／ｉｎ２／ｍＪとの間、及び約０．８ｇ／ｉｎ２／ｍＪと約１０．０ｇ／ｉｎ２／ｍＪとの間の圧力下での許容値が、受入れできることが判明している。
代わりに、排泄物管理要素１２０は、パワーのミリワット（ｍＷ）当たり排泄物管理要素１２０の平方インチ当たり粘性流体身体排泄物の少なくとも約１．５グラム、より好ましくは約３．０ｇ／ｉｎ２／ｍＷより大きい、更により好ましくは約５．０ｇ／ｉｎ２／ｍＷより大きい、最も好ましくは約１０．０ｇ／ｉｎ２／ｍＷより大きい圧力下での感応性を有するべきである。一般に、圧力下での感応性は、約１．５と５０．０ｇ／ｉｎ２／ｍＷとの間にあり、また約５．０と約５０．０ｇ／ｉｎ２／ｍＷとの間にあってもよい。（これらの好ましい圧力下での受入と感応性のパラメータは、使用を意図する時に、好ましくは評価される単一物品に関する。すなわち使用を意図する物品が２つ以上の構造部材又は層を含むならば、物品の構造部材又は層の全ては、その性能の測定時に通常使用する時と同じように構成すべきである。圧力下での受入れ性能の測定方法の詳細な説明は、以下の試験方法の項に記載される。）
【００３３】
圧力下での受入性能が低過ぎるならば、粘性流体身体排泄物を排泄物管理要素１２０に浸透させるために、更なる仕事が成されなければならない。（すなわちシステムへのより多くのエネルギー入力）。これは、粘性流体身体排泄物を排泄物管理要素１２０に押し入れるのに利用できるエネルギーが、限定され、かつ着用者から着用者へまた着用サイクルから着用サイクルへ変わるので、重要である。圧力下での感応性が低過ぎるならば、粘性流体身体排泄物を排泄物管理要素１２０に浸透させるために、より多くのパワーが必要である（すなわち一定量のエネルギー入力が、より長期間にわたり必要である）。これは、実際の使用条件における多くのエネルギー源が、短期間のものであるので（例えば着用者の動き）、重要である。更に粘性流体身体排泄物の特性は、様々な着用者の間でかなり変わる。したがって、単位仕事又は単位パワー当たりの高い粘性流体身体排泄物浸透を有する構造部材を浸透する粘性流体身体排泄物の絶対量は、低い許容値を有する構造部材を浸透する量よりも大きいであろう。高い許容値又は感応性値も、受入れた粘性流体身体排泄物排出の一部分だけを貯蔵及び不動化できるので、吸収性物品の全体性能にとって重要である。
【００３４】
一旦、粘性流体身体排泄物が排泄物管理要素１２０を浸透すると、着用の残りのサイクル中に着用者から離れて、及び交換処置中に介護者から離して排泄物を貯蔵又は保持するのが望ましい。ここで使用される用語「貯蔵」とは、おむつに堆積した物質が着用者の皮膚へ直接に接触又は接近しないように、おむつに堆積した物質を物品の身体に面する表面からの物理的な分離を指す。圧力下での貯蔵又は「貯蔵」は、以下の試験方法の項で説明されるように、単位面積当たり構造部材上に保持される物質量として測定される。圧力下での貯蔵容量が低過ぎるならば、構造部材の単位面積当たりの皮膚のアクセスから離れて貯蔵できる粘性流体身体排泄物の絶対量は減少するであろう。貯蔵された粘性流体身体排泄物が、漏れと物品内の移染によって構造部材の身体に面する表面に対して存在する可能性は殆どなく、漏れの確率と粘性流体身体排泄物により汚染される皮膚の領域を減少するためには妥当な貯蔵容量が不可欠である。
【００３５】
本発明の好ましい実施例において吸収性物品は、粘性流体身体排泄物の排泄物管理要素１２０の平方インチ当たり約０．７０グラム（ｇ／ｉｎ２）よりも大きい圧力下での貯蔵値を有する排泄物管理要素１２０を備えるべきである。より好ましくは排泄物管理要素１２０は、粘性流体身体排泄物の約０．８０ｇ／ｉｎ２よりも大きい圧力下での貯蔵値を有すべきである。更により好ましくは排泄物管理要素１２０は、粘性流体身体排泄物の約１．０ｇ／ｉｎ２よりも大きい、また最も好ましくは粘性流体身体排泄物の約１．２ｇ／ｉｎ２よりも大きい圧力下での貯蔵値を有すべきである。一般に、圧力下での貯蔵値は、少なくとも約０．８ｇ／ｉｎ２と約１０．０ｇ／ｉｎ２との間、及び約１．０ｇ／ｉｎ２と約１０．０ｇ／ｉｎ２との間が受入できることが判明している。（これらの好ましい圧力下での貯蔵パラメータは、使用を意図するときに、好ましくは評価される単一物品に関する。したがって、物品の構造部材又は層の全ては、その性能が測定されるときに通常の使用中であるように構成すべきである。圧力下での貯蔵性能の測定方法の詳細な説明は、以下の試験方法の項に記載される。）
【００３６】
圧力下での貯蔵値のパラメータは、一定の適用圧力の下で単位面積当たり構造部材内に吸収できる粘性流体身体排泄物の量の絶対的尺度である点で、圧力下での受入又は感応性のパラメータと異なる。一方、受入又は感応性は、物質を構造部材へ強制的に浸透させるために、それぞれ消費されるエネルギー又は入力されるパワーにより常態にされる吸収物質の量の尺度である。それらの数値のそれぞれは、それ自体による値のものであるが、一定の構造部材の全体性能の一層正確な状況を示すパラメータの組合せである。例えば構造部材の貯蔵容量は、その容量を「満たす」に必要なエネルギーが、一定の使用状態で利用できるエネルギーよりも大きいならば、十分に利用できない。反対に、構造部材の許容値は高いが（すなわち浸透に必要なエネルギーが低い）、貯蔵容量は非常に低いので、構造部材の全体効率を減少する。したがって、妥当な粘性流体身体排泄物容量を有し、かつ利用できる容量を満たすために最小のエネルギー入力（仕事）又はパワーを必要とする構造部材を提供することが重要である。図１１は、以下の例で説明される幾つかの構造部材の圧力下での許容値と貯蔵値との間の関係を示すグラフ図である。
【００３７】
吸収性物品により受入れられるか、又はそれを浸透する粘性流体身体排泄物は、好ましくは、着用者から離れておむつ内に保持される。身体排泄物、特に粘性流体身体排泄物を保持する１つの好ましい方法は、排泄物を着用者から離れた箇所に不動化することである。ここに使用される用語「不動化」とは、貯蔵された粘性流体身体排泄物を、加えられた圧力及び／又は重力の影響の下で、保持する材料又は構造部材の能力を指す。圧縮変転下での不動化、すなわち「不動化」は、排泄物の粘性を増加することにより（例えば脱水により）、機械的捕捉（すなわち、粘性流体身体排泄物の材料又は構造部材の内部区域との接触の表面積の増加により駆動される表面エネルギー現象）により、又は技術上既知の他の手段により、達成できる。以下の試験方法の項において更に説明されるように「圧縮変転下での不動化」は、後述のように、構造部材が反転圧力サイクルを受けた後に構造部材内に残る粘性流体身体排泄物又は類似物のパーセントに換算して測定される。「圧縮変転下での保持」、すなわち「保持」は、十分な応力使用条件下で、どれだけ多くの粘性流体身体排泄物が「貯蔵」されたままであるかの絶対的尺度である。
【００３８】
好ましくは排泄物管理要素１２０は、構造部材を浸透する粘性流体身体排泄物の約７．５ｇよりも大きい圧縮変転下での保持値を有すべきである。より好ましくは排泄物管理要素１２０は、下記圧縮変転試験を施した後の粘性流体身体排泄物の約８．０ｇよりも大きい、また最も好ましくは粘性流体身体排泄物の約８．５ｇよりも大きい圧力下での保持値を有すべきである。一般に、圧力下での保持値は、少なくとも約７．５ｇと約１００．０ｇとの間、及び約８．０ｇと約１００．０ｇとの間が受入できることが判明している。同一の条件下で排泄物管理要素１２０は、排泄物管理要素１２０により受入れられる粘性流体身体排泄物の少なくとも７０％の圧縮変転下での不動化値を有すべきである。より好ましくは排泄物管理要素１２０は、要素１２０により受入れられる粘性流体身体排泄物の少なくとも約８０％、また最も好ましくは少なくとも約８５％の圧縮変転下での不動化値を有すべきである。一般に、圧縮変転下での不動化値は、少なくとも約７０％と約１００％との間，及び約８０％と１００％との間が受入できることが判明している。（これらの好ましい圧縮変転下での不動化及び保持パラメータは、使用を意図するときに、好ましくは評価される単一物品に関する。したがって、物品の構造部材又は層の全ては、その性能が測定されるときに通常の使用中であるように構成すべきである。圧縮変転下での不動化と保持性能の測定方法の詳細な説明は、以下の試験方法の項に記載される。）
【００３９】
適切な不動化と保持の性能無くしては、改良された受入と貯蔵の性能の効果が減少することがある。というのは、粘性流体身体排泄物が構造部材の身体に面する表面へ戻り、漏れ又は着用者の皮膚への汚染の可能性が増加することがあるからである。更に、構造部材が先ず排泄物を受入れ、ついで貯蔵するならば、不動化は最も効果的である。着用者の皮膚から離れて貯蔵される前に不動化される粘性流体身体排泄物は、皮膚と接触するトップシート上に残ることがある。皮膚と接触する不動化粘性流体身体排泄物は、交換／清浄化の処置中に介護者に必要とされる労力を増加し、かつ残留する微小な汚れを増加する恐れがある。「微小な汚れ」とは、皮膚上に残るが、人間の裸眼により目視できるのが容易でない排泄物残留物を指す。したがって、図９と１０のグラフに示されるように、粘性流体身体排泄物を有効に管理するために、一定の構造部材の有用性を判断するとき、その構造部材についての少なくとも３つのパラメータ（受入、貯蔵及び不動化、又は受入、貯蔵及び保持）の検討が役立つことがある。
【００４０】
粘性流体身体排泄物を受入、貯蔵及び不動化する構造部材が好ましいが、本発明の一定の実施例において排泄物管理要素１２０は、受入れ要素、貯蔵要素又は不動化要素だけを含むか、又は３番目の要素を除く、それら２つの要素の組合せを備えることができる。また一定の実施例において１つの要素が、２つ以上の機能を実施できる（例えば貯蔵要素は、貯蔵と不動化の機能を実施できる）。例えば本発明の吸収性物品は、別個の不動化要素自体無しで粘性流体身体排泄物を管理するために、受入要素と貯蔵要素を備えることができる。したがって、適切な個別の受入、貯蔵及び不動化の要素を識別できること、及び単一の吸収性物品から離れたそれらの要素の有効性を判断することが望ましい。以下の検討は、互いに独立して、又は組合せて使用できる全てではないが幾つかの適切な受入、貯蔵及び不動化の要素、及びそれらの相対的な有効性を判断する好ましい方法を明確にするものである。
【００４１】
受入要素
本発明の好ましい実施例において排泄物管理要素１２０は、受入手段すなわち受入要素１５０を備える。受入要素１５０は、おむつ２０内に堆積される身体排泄物を受入れるのを意図し、特に粘性流体身体排泄物を受入れるのを意図する、おむつ２０の部分である。受入要素１５０は好ましくは、粘性流体身体排泄物の約０．７０ｇ／ｉｎ２／ｍＪよりも大きい、又は同等の類似値の圧力下での許容値を有すべきである。より好ましくは、受入要素１５０は、粘性流体身体排泄物の約０．８ｇ／ｉｎ２／ｍＪよりも大きい、また最も好ましくは約１．０ｇ／ｉｎ２／ｍＪよりも大きい圧力下での許容値を有すべきである。一般に、少なくとも０．６ｇ／ｉｎ２／ｍＪと約１０．０ｇ／ｉｎ２／ｍＪとの間、及び約０．８ｇ／ｉｎ２／ｍＪと約１０．０ｇ／ｉｎ２／ｍＪとの間の圧力下での許容値が、受入れできることが判明している。代わりに、排泄物管理要素１２０は、パワーのミリワット（ｍＷ）当たり排泄物管理要素１２０の平方インチ当たり粘性流体身体排泄物の少なくとも約１．５グラム、より好ましくは約３．０ｇ／ｉｎ２／ｍＷより大きい、更により好ましくは約５．０ｇ／ｉｎ２／ｍＷより大きい、最も好ましくは約１０．０ｇ／ｉｎ２／ｍＷより大きい圧力下での感応性を有するべきである。一般に、圧力下での感応性は、約１．５と５０．０ｇ／ｉｎ２／ｍＷとの間にあり、また約５．０と約５０．０ｇ／ｉｎ２／ｍＷとの間にある。受入又は感応性の性能が低過ぎるならば、粘性流体身体排泄物を受入要素１５０に浸透させるために、それぞれ、より多くの仕事が成されなければならない、又はより多くのパワーを加えなければならない（すなわちシステムへのより多くのエネルギー入力）。上述のように、高い許容値又は感応性値は、受入れされない排泄物が着用者の皮膚と接触したままであるので、吸収性物品の全体性能にとって重要である。受入れられる粘性流体身体排泄物の一部分だけを、本発明により意図されるように、着用者の皮膚から離れて貯蔵及び不動化できる。
【００４２】
受入要素１５０は、上述のように、身体排泄物を受入れできる任意の材料又は構造でよい。受入要素１５０は、単一の材料、又は互いに機能的に関連する幾つかの材料を備えることができる。更に受入要素１５０は、おむつ２０の他の要素と単一にでもよいし、又はおむつ２０の１つ以上の要素と直接又は間接に接合される１つ以上の個別の要素でもよい。更に受入要素１５０の１つ又は全ては、必要に応じて別個に処分するために吸収性物品から取外しできる。
【００４３】
受入要素１５０は好ましくは、コア２８の身体表面４７に隣接しておむつ２０の股区域３７内に少なくとも部分的に配設される。しかしながら一部の別の実施例において、受入要素１５０は、レッグカフス、ウエストバンド、又は便性排泄物収容ポケットなどの少なくとも一部分を備えることができるし、又はそのような機能部材と機能的に関連できる。好ましくは、使用中に着用者の肛門近くにあるおむつ２０の区域に位置する受入要素１５０の少なくとも一部分は、トップシート２４のような構造部材の重ね層により閉塞されない。かくして、着用者の肛門近く位置するようになっている物品の区域内のトップシート２４の一部を切り欠き、及びその区域の身体側ライナーとして受入要素１５０を設けることが望ましい。代わりに、１つ又は全てのトップシート２４を、受入れ要素１５０として機能するように製造又は処理してもよい。図１に示されるように一実施例において、受入要素１５０は、トップシート２４の少なくとも一部分を備える。他の実施例において受入要素１５０は、吸収性コア２８又は貯蔵要素（以下に述べる）のようなおむつの他の要素の少なくとも一部分を備えることができる。
【００４４】
幾つかの実施例において、おむつ２０に、おむつの種々の部分における異なる受入又は感応性の性能を付与するのが望ましいことがある。これは、おむつ２０の種々の区域に異なる受入要素を設けることにより、又は種々の受入れ特性の区域を有するように製造又は処理されている単一の受入要素１５０を設けることにより達成できる。更に受入要素１５０は、排泄された粘性流体身体排泄物を一層良く管理できるように、物品の身体に面する表面の平面の上方へ突出させることができる。幾つかの実施例において、粘性流体身体排泄物に近接して（例えば肛門周辺区域）、着用者の皮膚と接触する受入要素１５０を有することも望ましいことがある。
【００４５】
受入要素１５０として使用される適切な材料及び構造部材は、開口化不織ウエブ、開口化フイルム、開口形成フイルム、スクリム織物、織ウエブ、スクリム織物、網状織物、マクロポーラス薄発泡材などを含むことができる。
【００４６】
受入要素１５０は、網状織物を含むことができる。網状織物は織物でもよい。
網状織物はナイロンでもよい。好ましい構造部材は織ナイロン網状織物である。
網状織物は、約２５ｇｓｍから少なくとも約３０ｇｓｍまでの坪量を有することができる。適切な網状織物は、約５０％から約７０％までの有効開口面積を有することができ、また約４．０ｍｍ２から約６．０ｍｍ２までの主開口サイズも有することができる。（有効開口面積と主開口サイズは、ここに参照として組込まれる米国特許第５，３４２，３３８号に記載されるように測定される。）１つの特に好ましい材料は、約２７．３ｇ／ｍ２の坪量、約６０％の有効開口面積、及び約５．０ｍｍ２の主開口サイズを有する織ナイロン網状織物である。１つのそのような材料は、バージニア州ノーフォークにあるＤｏｌｌａｒ  Ｔｒｅｅ  Ｄｉｓｔ．のＴｏｙ  Ｔｕｂ  Ｂａｇとして入手できる。更に受入要素１５０又はその一部分は、その要素の性能又は他の特性を付加、強化又は変更するために、ローション又は他の既知の物質を塗布できる。例えば受入要素１５０は、親水性、疎水性にできるか、又はそのいずれかに処理できる。
【００４７】
表１は、幾つかの材料の圧力下での受入と感応性の性能を示す。表１に示される個別の受入要素についての圧力下での受入と感応性のデータは、以下で試験される単一のサンプルについての圧力下での受入と感応性のデータと同一の方法で得られる。ただし、表１について試験されたサンプルは、受入要素１５０だけを含む。更に受入要素１５０は、受入要素１５０が取られた吸収性物品の、真下の構造部材ではなく、標準貯蔵要素１４７と連携して試験される。（標準貯蔵要素１４７は、図４に示されるように１５３個の規則的に離間する４．３ｍｍ径の孔１６８のパターンを有する４インチ平方で１．６ミリメートル厚さのアルミニウムプレートを備える。これらの孔は、平方インチ当たり約２６個の孔があるように配列される。）
【００４８】
【表１】
2010188136.tif 000003
【００４９】
適切な受入と感応性の性能を得る際の１つのパラメータは、受入要素１５０の合計有効開口面積に関連することが判明している。適切な合計有効開口面積の測定値を達成するために、受入要素１５０は開口を備えることができる。受入要素１５０が開口を備えるならば、それらの開口は好ましくは、少なくとも０．２平方ミリメートル、より好ましくは少なくとも０．５平方ミリメートル、より一層好ましくは少なくとも１．０平方ミリメートル、及び最も好ましくは少なくとも２．０平方ミリメートルの有効開口サイズを有する。一般に好ましい有効開口サイズは、約０．２平方ミリメートルと約５０平方ミリメートルとの間にあり、またより好ましくは、約１．０平方ミリメートルと約２５平方ミリメートルとの間にある。
【００５０】
有効開口サイズとパーセント開口面積は、ここに参照として組込まれる、１９９４年８月３０日にＲｏｅに付与された「低粘性便状物質用の使い捨て吸収性物品」という名称の米国特許第５，３４２，３３８号の第１０欄第４４行乃至第１２欄第４３行に記載される手順により求めることができる。
【００５１】
貯蔵要素
本発明の排泄物管理要素１２０は好ましくは、受入要素１５０により、又は、もしあれば、他の上にある層により受入れられる粘性流体身体排泄物を貯蔵できる貯蔵手段、すなわち貯蔵要素１５２を備える。好ましい実施例において貯蔵要素１５２は、粘性流体身体排泄物の約０．７０ｇ／ｉｎ２の圧力下での貯蔵値を有すべきである。より好ましくは貯蔵要素１５２は、粘性流体身体排泄物の約０．８０ｇ／ｉｎ２よりも大きいものを貯蔵できるべきである。更により好ましくは貯蔵要素１５２は、粘性流体身体排泄物の約１．０ｇ／ｉｎ２よりも大きいもの、また最も好ましくは粘性流体身体排泄物の約１．２ｇ／ｉｎ２よりも大きいものを貯蔵できるべきである。一般に、圧力下での貯蔵値は、少なくとも約０．８ｇ／ｉｎ２と約１０．０ｇ／ｉｎ２との間、及び約１．０ｇ／ｉｎ２と約１０．０ｇ／ｉｎ２との間が受入できることが判明している。
【００５２】
貯蔵要素１５２は、おむつ２０内の任意の箇所に位置決めすることができる。
しかしながら、貯蔵要素１５２は、受入要素１５０により受入れられた粘性流体身体排泄物が貯蔵要素１５２に入ることができるように、受入要素１５０及び／又は、もしあれば、トップシート２４と機能的に関連することが好ましい。（おむつ２０が、トップシート２４又は受入要素１５０を有しない実施例が意図される。そのような場合、身体排泄物は、上ににある構造部材を通過することなく、貯蔵要素１５２へ直接入ることがある。）いずれの場合も、おむつ２０を着用したときに着用者の肛門近くにあるおむつ２０の区域に貯蔵要素１５２を位置決めすることが好ましい。したがって、貯蔵要素１５２の少なくとも一部分を吸収性物品の股区域３７に配設することが好ましい。しかしながら幾つかの他の実施例において貯蔵要素１５２は、ウエスト区域、レッグカフス、ウエストバンド、又は便状排泄物収容ポケットなどの少なくとも一部分を備えることができるか、もしくはそのような機能部材と機能的に関連できる。更に貯蔵要素１５２は、排泄された粘性流体身体排泄物を一層良く管理できるように、物品の身体に面する表面の平面の上方へ突出させることができる。幾つかの実施例において、粘性流体身体排泄物に近接して（例えば肛門周辺区域）、着用者の皮膚と接触する貯蔵要素１５２を有することも望ましいことがある。
【００５３】
貯蔵要素１５２の圧力下での貯蔵性能を、おむつ２０全体にわたり均一又は変えることができる。そのような変法は、おむつ２０に複数の貯蔵要素１５２を採用することにより、又は単一の貯蔵要素１５２に種々の圧力下での貯蔵容量の区域を設けることにより達成できる。更に１つ又は全ての貯蔵要素１５２を、必要に応じて、別個に処分するために吸収性物品から取外すことができる。
【００５４】
貯蔵要素１５２は、上述のように身体排泄物を貯蔵できる任意の材料又は構造部材でよい。かくして、貯蔵要素１５２は、単一の材料、又は互いに機能的に関連する幾つかの材料を備えることができる。更に貯蔵要素１５２は、おむつ２０の他の要素と単一にでもよいし、又はおむつ２０の１つ以上の要素と直接又は間接に接合される１つ以上の個別の要素でもよい。図５に示される一実施例において、貯蔵要素１５２は、コア２８から分離される構造部材を備える。しかしながら、貯蔵要素１５２がコア２８の少なくとも一部分を備える実施例が意図される。
【００５５】
貯蔵要素１５２として使用される適切な材料として、大形連続気泡型発泡材、マクロポーラス耐圧縮性不織嵩高、連続と独立気泡型発泡材の大形粒状物成形物（マクロ及び／又はマイクロポーラス）、嵩高不織材、ポリオレフィン、ポリスチレン、ポリウレタン発泡材又は粒状物、多数の垂直に配向されるループ状の繊維のストランドを有する構造部材、締結ループ状の材料、打ち抜き孔又は窪みを有する上述の吸収性コア構造部材、及びこれらの材料の組合せなどを含めることができる。（ここで使用される用語「マイクロポーラス」とは、毛細管作用により流体の移送ができる材料を指す。用語「マクロポーラス」とは、一般に径が約０．５ｍｍよりも大きい細孔を有する、特に径が約１．０ｍｍよりも大きい細孔を有する、細孔が大き過ぎて流体の毛細管移送をできない材料を指す。）
貯蔵要素１５２又はその一部分は、その要素の性能又は他の特性を付加、強化又は変更するために、ローション又は他の既知の物質を塗布できる。
【００５６】
貯蔵要素１５２の一実施例は、複数の隣接する弓状部分を有する三次元ウエブ１２６に成形された締結ループ状の材料１１８を含む。
【００５７】
三次元ウエブ１２６の弓状部分は好ましくは、嵩高開口構造部材を形成するピークと谷を有する一般に平行な隆起部として形成される。三次元ウエブの相対的配向に応じて、「ピーク」が「谷」に一致し、また反対になることが理解される。用語「隆起部」及び「ピーク」と「谷」とは、純粋に説明用のものであり、それらの弓状部分が隣接する弓状部分に関連するときに、それらの弓状部分を指す。ピークと谷は、最大振幅の区域であり、また一般に弓状部分の水平接線におけるものである。
【００５８】
接着自在箇所１２８は、貯蔵要素１５２の要素を三次元ウエブ１２６へ装着できるように、その要素と接触できるピークと谷に対応する。要素が実際に装着される、それらの箇所は、固定部１２７と呼ばれる。
【００５９】
裏材が使用されるとき、ピークは裏材から離され、また谷は裏材近くに置かれる。三次元ウエブ１２６も下端外側面と上端外側面を有する。裏材が使用されるとき、下端外側面は裏材に隣接し、また上端外側面は裏材から離される。
【００６０】
貯蔵要素１５２のこの実施例の任意選択的な要素は、裏材１２１である。図１５に示される実施例における裏材１２１は、固定部１２７において三次元ウエブ１２６へ接着され、かつ三次元ウエブと吸収性コア２８との間に機能的に配設される。
【００６１】
固定部１２７は、三次元ウエブ１２６を裏材１２１、吸収性コア２８又は他のおむつ要素へ装着するのに使用される接着自在箇所１２８である。
【００６２】
締結ループ状の材料１１８は、約１．５ミリメートルの未圧縮厚さを有することができる。１つの適切な締結ループ状の材料１１８は、ミネソタ州ミネアポリスにある３Ｍ  ＣｏｒｐｏｒａｔｉｏｎからＸＰＬ又はＸＰＧとして入手できる。他の適切な締結ループ状の材料１１８は、ミネソタ州ミネアポリスにある３Ｍ  ＣｏｒｐｏｒａｔｉｏｎからＸＰＬ−７１２４として入手できる。他の実施例は、平方メートル当たり約１１０グラムの坪量と約７．９ミリメートルの未圧縮厚さを有する６デニールの織縮されかつ樹脂接着された嵩高不織材料を備え、その材料は、ジョージア州ＷｒｅｎｓにあるＧｌｉｔ  Ｃｏｍａｐｎｙから入手できる。
【００６３】
ループ状の材料１１８は、約１ｍｍ乃至約８ｍｍよりも大きい全体ウエブ厚さを有することができる。ループ状の材料１１８は、三次元ウエブ１２６に成形できる多数の繊維を更に含むことができる。ここで使用される「ウエブ」は、接着又は未接着の繊維を含むことができる。弓状部分は、三次元ウエブに成形されたとき、図１５に示されるように規則的な平行の間隔を有することができる。弓状部分の状態の他の実施例は、図２０と２１に示されるが、他の変形も意図される。
【００６４】
貯蔵要素２９内のウエブ１２６として使用される適切なループ状の材料１１８は、コンジュゲート繊維、スプリット繊維、ポリプロピレン繊維、ポリエチレン繊維、ポリエチレンテレフタレート繊維、ポリアミド繊維、及びそれらの組合せなどを含むことができるが、それらに限定されない。これらのループ状の材料１１８は、スパンボンド布、メルトブラウン布、カード布など含むが、それらに限定されない不織材料を成形する技術上既知の多くの方法で製造できる。
【００６５】
三次元ウエブ１２６は、疎水性又は親水性であるように、又は減摩性を有するように処理される材料を備えることができる。好ましい実施例において三次元ウエブ１２６は、疎水性に処理される。
【００６６】
三次元ウエブ１２６における繊維は、平行な接着自在箇所１２８に関して種々の方向に配設でき、また弓状部分１３０における交差点において共に接着してもよいし、しなくてもよい。三次元ウエブ１２６における繊維は、平行な接着自在箇所１２８に関して種々の方向に配設でき、三次元ウエブ１２６における繊維の大部分（すなわち８０又は９０パーセント以上）が、接着自在箇所１２８に対して約９０度の角度の方向に延びる。代わりに三次元ウエブ１２６における個別繊維の大部分は、離間した一般に平行な接着自在箇所１２８に対して一般に平行な方向に延びることができる。
【００６７】
図１５は、参照数字２９により一般に示される、本発明に従う貯蔵要素１５２の１つの好ましい実施例を図示する。
【００６８】
一般に、その図に示される貯蔵要素２９は、前部と後部の主要表面１２３と１２４をそれぞれ有する熱可塑性フイルム裏材層１２２（例えば、ポリプロピレンの）を好ましくは含む裏材１２１を有するループ状の材料１１８のシート又はウエブである。ループ状の材料１１８は、三次元ウエブ１２６内に多数の長手方向に配向される繊維を有する。
【００６９】
三次元ウエブ１２６は好ましくは、裏材１２１の親水性よりも少ない親水性を有する。好ましい実施例において三次元ウエブそれ自体は、親水性勾配を有し、そこにおいて弓状部分１３０が、接着自在箇所１２８の親水性よりも少ない親水性を有する。この構成においても、三次元ウエブ１２６の接着自在箇所１２８は、材料１２１の親水性よりも少ない親水性を有することが好ましい。
【００７０】
三次元ウエブ１２６は、前部表面１２３に沿う一方向に連続にできる接着自在箇所１２８に沿って一般に平行である離間した間隔で、裏材１２１内に埋込まれることにより、接着される接着部分１２７を有することができる。
【００７１】
また三次元ウエブ１２６は、機械的締結、縫合、接着、面ファスナー、押出しストランド、押出し、加熱接着、樹脂接着、接着剤貼合せ、超音波結合、及びそれらの組合せ、又は技術上既知の他の手段により、裏材１２１へ接着できる。
【００７２】
接着自在箇所１２８は、一方向に連続、間歇、ランダム、ひだつき、又は種々の組合せであるように配列できる。
【００７３】
三次元ウエブ１２６の弓状部分１３０は、約０．５ミリメートルよりも大きい一般に均一の平均高さ（谷からピークへの）を有することができ、また約２．５ミリメートルよりも大きくできる。好ましい実施例の平均高さは、約２．５ミリメートルから約６ミリメートルまでにできる。平均高さは、谷の上端外側面からピークの下端外側面まで弓状部分の一般に水平接線に対して一般に直交して測定される。
【００７４】
形成された三次元ウエブ１２６の高さは、接着自在箇所１２８間の間隔の少なくとも３分の１にでき、また２分の１から１．５倍にできる。三次元ウエブ１２６における個別の繊維は好ましくは、約５０デニール未満であり、好ましくは約１乃至１０デニールの範囲であり、また更に好ましくは約９デニールである。
【００７５】
裏材１２１を有しない三次元ウエブ１２６は、第１の表面１２３に沿って測定したときに、平方メートル当たり約５乃至約３００グラムの範囲の、好ましくは平方メートル当たり約１５乃至約１００グラムの範囲の、また更に好ましくは平方メートル当たり約３０グラムの坪量を有することができる。これにより、便状物質を弓状部分１３０中に容易に浸透させるに足る、弓状部分１３０に沿う三次元ウエブ１２６における繊維間の開口面積（すなわち約１０乃至９０パーセントの開口面積）が提供される。
【００７６】
適切な裏材１２１の構造物は、個別の繊維、スクリム織物、編繊維、織材料、不織材料、連続ポリマーフイルム、熱可塑性フイルム、ポーラスフイルム、開口化フイルム、開口形成フイルム、未開口化形成フイルム、不織ウエブ、通気性フイルムなどの通気性材料を含むが、それに限定されないし、またその通気性材料は、マイクロポーラスフイルム、開口化不織ウエブ、及び他の開口繊維などを含むがそれに限定されない。不織ウエブが使用されるならば、適切な材料は、コンジュゲート繊維、スプリット繊維、ポリプロピレン繊維、ポリエチレン繊維、ポリエチレンテレフタレート繊維、ポリアミド繊維、及びそれらの繊維の組合せなどを含むことができるが、それらに限定されない。
【００７７】
裏材１２１に使用されるフイルムは、ポリプロピレン、ポリエステル又はポリアミドなどのポリマー材料の単一層でよいし、もしくはポリエステルのような比較的高強度の中心層、エチレンビニルアセテート又はポリエチレンのような裏材１２１の層へ容易に接着される材料から成る、前部主要表面１２３を形成する層、及びポリエチレンのような支持体へ裏材を接着させるようになっている後部主要表面１２４を形成する層、又は常温非粘着性熱可塑性材料の接着層、などの複数の層を有することができる。
【００７８】
裏材１２１は好ましくは、ポリプロピレンの比較的薄いフイルム層である。また裏材は好ましくは、約０．００１２５乃至０．０２５センチメートルの範囲の厚さを有する。裏材１２１は、疎水性、親水性及び減摩性などであるように処理できる。また裏材は、１５０ｇｓｍまでの坪量を有することができる。
【００７９】
好ましくは貯蔵要素２９は、便状物質を容易に浸透させるために、貯蔵要素２９の開口性を保存するようにトップシート２４へ最小に固定される。より好ましくは貯蔵要素２９は、トップシート２４へ全く固定されないので、貯蔵要素２９の開口性を保存するのに更に役立ち、またトップシート２４を貯蔵要素２９から分離させて使い捨て吸収性物品内に追加の空隙空間を生成させる。しかしながら、貯蔵要素２９を、自由に移動するのを防止するためにおむつ２０内に固定すべきであることが分る。この目的のために、貯蔵要素２９を、真下の吸収性コア２８へ直接固定することが好ましい。図１と６Ａは、吸収性物品に機能的に配設される吸収性コア２８の一実施例の２つの図を明示する。図１６に示される貯蔵要素２９の一実施例は、吸収性コア２８へ固定される裏材１２１の後部主要表面１２４を有することができる。代わりに貯蔵要素２９は、接着自在箇所１２８において吸収性コア２８へ機能的に直接配設される、裏材無しのループ状の材料１１８を備えることができる。
【００８０】
貯蔵要素２９は、技術上既知の装着手段により吸収性コア２８へ接合できる。
例えば、その装着手段は、接着剤の均一な連続層、接着剤のパターン化した層、もしくは接着剤の個別の線、渦巻き又はスポットの配列を含むことができる。
【００８１】
貯蔵要素２９は、接着剤、面ファスナー、摩擦、又は技術上既知の他の締結手段により排泄物管理要素１２０へ装着できる。図１と６Ａは、貯蔵要素２９無しに吸収性物品に機能的に配設される排泄物管理要素１２０の一実施例の２つの図を明示する。貯蔵要素２９は、排泄物管理要素１２０に取り代わって使用されるか、又は排泄物管理要素１２０の単一部分として組込まれることができる。
【００８２】
裏材１２１又は三次元ウエブ１２６と吸収性コア２８との間の貯蔵要素２９の接着パターンは、六角ライン、直交ライン、縦方向ライン、菱形交差ライン、ランダムライン、パターン無しの開口構成ライン、及び技術上既知の他のラインでよい。
【００８３】
１つの好ましい装着手段は、１９８６年３月４日にＭｉｎｅｔｏｌａなどに付与された「使い捨て排泄物収容衣類」という名称の米国特許第４，５７３，９８６号に開示される接着剤のフィラメントの開口パターン網目を含む。他の適切な装着手段は、渦巻きパターンに巻かれる接着剤フィラメントの幾つかの線を備え、以下の特許に示される機器と方法により図示される。すなわち、１９７５年１０月７日にＳｐｒａｇｕｅ，Ｊｒに付与された米国特許第３，９１１，１７３号、１９７８年１１月２２日にＺｉｅｃｋｅｒなどに付与された米国特許第４，７８５，９９６号、及び１９８９年６月２７日にＷｅｒｅｎｉｃｚに付与された米国特許第４，８４２，６６６号である。これらの特許のそれぞれは、ここに参照として組込まれる。妥当であることが判明している接着剤は、ミネソタ州セントポールにあるＨ．Ｂ．Ｆｕｌｌｅｒ  Ｃｏｍｐａｎｙにより製造され、またＨＬ−１２５８として市販されている。代わりに装着手段は、加熱接着、圧力接着、超音波結合、動的機械的接着、摩擦、縫合、接着剤、面ファスナー、もしくは技術上既知であるように他の適切な接着手段又はこれらの接着手段の組合せを含むことができる。特に好ましい接着手段は、三次元ウエブ１２６の親水性よりも大きい親水性、より好ましくは裏材１２１の親水性よりも大きい親水性を有する接着剤である。
【００８４】
貯蔵要素２９は、おむつ２０の第２のウエスト区域３８内に位置決めできる。
貯蔵要素２９を少なくとも第２のウエスト区域３８内に位置決めすることにより、貯蔵要素２９は、おむつ２０上に堆積される便状物質の管理において最も有効である箇所の着用者の肛門と整合できる。しかしながら貯蔵要素２９は、股区域３７中に延びることができる。また貯蔵要素２９は、おむつ２０の第１のウエスト区域３６中に延びることができる。幾つかの実施例において、貯蔵要素２９を、おむつ２０の全体長手方向寸法に沿って延ばさせるのが望ましいことがある。
貯蔵要素２９を少なくとも第２のウエスト区域３８内に位置決めすることに加えて、第２のウエスト区域３８内に位置決めされたトップシート２４の部分が、低粘性の便状物質を取扱うに足る開口面積を有することも望ましい。図５は、上述の実施例において位置決めされた貯蔵要素１５２の一実施例を示す。
【００８５】
低粘性の便状物質を取扱う際に最も有効であるように、貯蔵要素２９は、嵩高にされた開口構造部材を有することができる。この構造部材の１つの重要な特徴は、裏材１２１の平面からの三次元ウエブ１２６の弓状部分１３０の高さ、及び弓状部分１３０により分離される接着自在箇所１２８間の間隔である。上述のように、三次元ウエブ１２６の弓状部分１３０は、約０．５ミリメートルよりも大きい、より好ましくは約２．５ミリメートルよりも大きい一般に均一の平均高さを有することができる。好ましい実施例の平均高さは、約２．５ミリメートルから約６ミリメートルまでにできる。より大きい高さ、例えば５．０センチメートルの高さは、低粘性便状物質の取扱に優れるであろうが、そのような高さにより、着用者に不快感を生じる、おむつ内に好ましくない容積部分を生成することがある。
【００８６】
固定部１２７は、三次元ウエブ１２６を裏材１２１、吸収性コア２８又は他のおむつ要素へ装着するのに使用される接着自在箇所１２８の部分である。固定部１２７は、好ましくは約０．２ミリメートルから約２０ミリメートルまでの径を有する平面状円がその上に内接するような寸法のものであり、より好ましくは固定部１２７は、約０．４ミリメートルから約１０ミリメートルまでの径を有する平面状円がその上に内接するような寸法のものであり、また最も好ましくは固定部１２７は、約０．８ミリメートルから約５ミリメートルまでの径を有する平面状円がその上に内接するような寸法のものである。
【００８７】
未アンカー接着自在箇所１２８は好ましくは、約０．２ミリメートルから約２０ミリメートルまでの径を有する平面状円がその上に内接できるような寸法のものである。
【００８８】
より好ましくは固定部１２７は、約０．４ミリメートルから約１０ミリメートルまでの径を有する平面状円がその上に内接できるような寸法のものであり、また最も好ましくは固定部１２７は、約０．８ミリメートルから約５ミリメートルまでの径を有する平面状円がその上に内接できるような寸法のものである。
【００８９】
図１６は、一般に参照数字１４０により示される、本発明に従う貯蔵要素１５２の第２の実施例を図示し、その貯蔵要素１４０は、貯蔵要素２９と同一の構成を有する（同一の参照数字は、その対応する部分に関して使用される）。ただし三次元ウエブ１２６の裏材１４５は、裏材１２１と第２の裏材１４７を備える。
第２の裏材１４７は、後部主要表面と前部主要表面を有する。第２の裏材１４７の前部主要表面は、三次元ウエブ１２６の反対側にある裏材１２１の後部主要表面１２４へ接着される。
【００９０】
三次元ウエブ１２６の裏材１４５の第２の裏材１４７は、ポリマーフイルムでもよい。第２の裏材１４７として使用される他の適切な構造部材は、スクリム織物、編繊維、熱可塑性フイルム、ポーラスフイルム、開口化フイルム、開口形成フイルム、未開口化形成フイルム、不織ウエブ、通気性フイルムなどの通気性材料を含むが、それに限定されないし、またその通気性材料は、マイクロポーラスフイルム、開口化不織ウエブ、及び他の開口繊維などを含むがそれに限定されない。
【００９１】
第２の裏材１４７は好ましくは、約０．００１２５乃至０．０２５センチメートルの範囲の厚さを有する比較的薄いフイルム層である。
【００９２】
第２の裏材１４７は、疎水性、及び減摩性などであるように処理される材料を備えることができる。より好ましくは第２の裏材１４７は、疎水性であるように処理できるであろう。また裏材は、少なくとも１５０ｇｓｍの坪量を有することができる。
【００９３】
図１７は、一般に参照数字５５０により示される、本発明に従う貯蔵要素１５２の第３の実施例を図示し、そこにおいて貯蔵要素５５０は、貯蔵要素２９と同一の構成を有する（同一の参照数字は、その対応する部分に関して使用される）。ただし締結ループ状の材料１１８の裏材１５５は、複数の繊維１５７を有する。裏材１５５の繊維１５７は、平行な接着自在箇所１２８に関して種々の方向に配設でき、共に接着してもよいし、しなくてもよいし、また繊維１５７は、平行な接着自在箇所１２８に関して種々の方向に配設でき、裏材１５５の繊維の大部分（すなわち８０又は９０パーセント以上）が、接着自在箇所１２８に対して約９０度の角度の方向に延び、又は裏材１５５における個別の繊維１５７の全ては、離間した一般に平行な接着自在箇所１２８に対して一般に平行な方向に延びることができる。好ましくは個別の繊維１５７は、共に接着されないし、また約０．０１ｍｍから約１０．０ｍｍまでの間隔だけ互いに離間される。繊維１５７は好ましくは、約０乃至５０の範囲内のデニールを有する。
【００９４】
図１８は、一般に参照数字１６０により示される、本発明に従う貯蔵要素１５２の第４の実施例を図示し、その貯蔵要素１６０は、貯蔵要素２９と同一の構成を有する（同一の参照数字は、その対応する部分に関して使用される）。ただし貯蔵要素１６０は、第２の三次元ウエブ１６２を備え、そこにおいて第２の三次元ウエブ１６２は、三次元ウエブ１２６の反対側にある裏材層１２２の後部主要表面１２４上に接着される。ループ状材料１１８の第２の三次元ウエブ１６２は、一般に非変形固定部１７７を有する三次元ウエブ１２６における多数の長手方向に配向される繊維を含む。
【００９５】
一実施例において固定部１７７は、後部主要表面１２４に沿う一方向に連続である離間した細長い一般に平行な接着自在箇所１７８であり、三次元ウエブ１６２の弓状部分１８０が、連続した列で接着自在箇所１７８間で裏材層１２２の後部主要表面１２４から突出し、また三次元ウエブ１６２を横断して横方向に延びる。
【００９６】
三次元ウエブ１６２の弓状部分１８０は、約０．５ミリメートルよりも大きい、好ましくは約２．５ミリメートルよりも大きい一般に均一な平均高さを有することができる。好ましい実施例の平均高さは、約２．５ミリメートル乃至約６ミリメートルにできる。成形される三次元ウエブ１６２の高さは好ましくは、接着自在箇所１７８間の間隔の少なくとも３分の１にでき、また２分の１から１．５倍にできる。三次元ウエブ１６２における個別の繊維は、約５０デニール未満であり、好ましくは約１乃至１５デニールの範囲であり、より好ましくは約９デニールである。
【００９７】
締結ループ状の材料１７６は、弓状部分無しで平坦である。裏材１２１を有しない締結ループ状の材料１７６は、平方メートル当たり５乃至３００グラムの範囲の、好ましくは平方メートル当たり１５乃至１００グラムの範囲の、及びより好ましくは平方メートル当たり約３０グラムの坪量を有する。
【００９８】
図１８に示される実施例において接着自在箇所１２８と１７８は、互いに整合され、すなわち接着自在箇所１２８は、接着自在箇所１７８の直ぐ上方へ位置決めされるので、弓状部分１３０と１８０の位相が揃えられる。接着自在箇所１２８と１７８は、互いに整合されないで弓状部分１３０と１８０の位相が揃えられないように、裏材１２１に沿って位置決めされることもできる。
【００９９】
図１９は、一般に参照数字１９０により示される、本発明に従う貯蔵要素１５２の第５の実施例を図示し、その貯蔵要素１９０は、貯蔵要素２９と同一の構成を有する（同一の参照数字は、その対応する部分に関して使用される）。ただし三次元ウエブ１２６の裏材１９５は、三次元ウエブ１２６へ直接接着される第２の三次元ウエブ１９６である。
【０１００】
裏材１９５は、第１と第２の三次元ウエブ１２６と１９６の弓状部分の一般にピークにおいて接着自在箇所１９８を有する三次元ウエブ１２６において多数の長手方向に配向される繊維を含む（標準名称は、これをピークピーク接触と呼ぶ）。一実施例において固定部１９７は、離間した細長い一般に平行な接着自在箇所１９８において三次元ウエブ１２６へ加熱接着されることにより接着でき、三次元ウエブ１９６の弓状部分２００が、連続した列で固定部１９７から突出し、また第２の三次元ウエブ１９６を横断して横方向に延びる。
【０１０１】
図１９の実施例において、三次元ウエブ１２６と１９６の弓状部分の列は、横方向に互いに平行に延びる。代わりに、三次元ウエブ１２６と１９６の弓状部分の列は非平行でもよい。例えば三次元ウエブ１２６の弓状部分の列は、横方向に延びることができ、一方、第２の三次元ウエブ１９６の弓状部分の列は、横方向に対する直度に延びる。
【０１０２】
図２０は、本発明の貯蔵要素２０２の他の実施例の平面図である。貯蔵要素２０２は、弓状部分２０３の配置のために考えられる多くの構成の１つを具体的に示す。
【０１０３】
図２１は、本発明の貯蔵要素２０４の他の実施例の平面図である。貯蔵要素２０４は、弓状部分２０５の列の配置のために考えられる多くの構成の１つを具体的に示す。
【０１０４】
図２０と２１に示される構成に加えて、弓状部分の列の配置のために考えられる多くの構成も使用できる。
【０１０５】
図２２は、貯蔵要素２９を成形する方法と装置を概略図示する。図２２に図示される方法は、長手方向に配向されたポリマー繊維を三次元ウエブ１２６に成形する段階と、三次元ウエブ１２６の離間した一般に平行な固定部１２７から同一方向に突出る弓状部分１３０を有するように三次元ウエブ１２６が有するように三次元ウエブ１２６を成形する段階と、及び裏材１２１の前部表面１２３から突出る三次元ウエブ１２６の離間した一般に平行な固定部１２７を接着する段階とを一般に含む。この方法は、それぞれが、軸を有し、かつ周りに複数の円周方向に離間した一般に軸方向に延びる隆起部２２８を備え、かつその周辺を形成する第１と第２の加熱された波形部材すなわちローラ２２６と２２７を設けることにより実施され、隆起部２２８は、外面を有し、かつ隆起部２２８間に空間を形成し、その空間は、噛合した隆起部２２８間で三次元ウエブ１２６と噛合した状態で他のひだつき部材２２６又は２２７の部分を受容するように、かつ歯車の仕方で隆起部２２８とひだつき部分の空間との間に転動係合を生じるようになっている。ひだつき部材２２６と２２７は、歯車の仕方で一般に噛合うひだつき部材２２６と２２７の隆起部２２８の部分と軸方向に平行な状態で取付けられ、ひだつき部材２２６又は２２７の少なくとも１つが回転され、及び三次元ウエブ１２６は、ひだつき部材２２６と２２７の隆起部２２８の噛合った部分間に供給されて、第１のひだつき部材２２６の周辺に三次元ウエブ１２６を一般に合致させ、第１のひだつき部材２２６の隆起部２２８間の空間に三次元ウエブ１２６の弓状部分１３０を成形し、かつ第１のひだつき部材２２６上の隆起部２２８の外面に沿って三次元ウエブ１２６の一般に平行な固定部１２７を成形する。成形された三次元ウエブ１２６は、隆起部２２８の噛合い部分を通過した後に第１のひだつき部材２２６の周辺に沿って保持される。熱可塑性裏材層１２１は、溶融状態の熱可塑性裏材層１２１（例えばポリプロピレン）を第１のひだつき部材２２６の周辺上の三次元ウエブ１２６の固定部１２７と冷却ロール２５０との間のニップに金型２４０から押出すことにより、成形され、かつ第１のひだつき部材２２６上の隆起部２２８の外面上の三次元ウエブ１２６の固定部１２７へ接着され、その後に、貯蔵要素２９が、第１のひだつき部材２２６から分離され、部分的に冷却ロール２５０の周りに移送され、ついで冷却ロールとピンチローラ２６０との間のニップを通して移送されて、熱可塑性裏材層１２１の冷却と固化を完了する。
【０１０６】
ひだつき部材２２６と２２７の隆起部２２８の噛合った部分間に供給される三次元ウエブ１２６は、ひだつき部材２２６と２２７の隆起部２２８の噛合った部分間に供給される三次元ウエブ１２６内の繊維が、三次元ウエブ１２６の幅方向に均一に分布され、かつ全てがひだつき部材２２６と２２７の軸に一般に直交して延びるように、又は三次元ウエブ１２６内の繊維が、不織ウエブ又はシートにおけるようにランダムな配向で配設できるように、分布される糸の形態にできる。繊維間の摩擦を除いて内部接着が無いランダムに配向される繊維のそのような不織ウエブ１２６は、図示される梳綿機２７０を使用して緩い繊維から成形でき、また梳綿機２７０からひだつき部材２２６と２２７との間のニップ中に供給されるに足る単一性を有し（必要に応じて、コンベヤー（（図示されない）を、使用されるランダムに配向される繊維の不織ウエブ１２６の支承と案内に役立つように設けることができる）、好ましくは第１のひだつき部材２２６が粗い仕上面（例えばサンドブラストにより形成される）を有し、第２のひだつき部材２２７が平滑に研磨された仕上面を有し、及び第１のひだつき部材２２６が第２のひだつき部材２２７の温度より僅か上の温度まで加熱されるので、不織三次元ウエブ１２６は、第１のひだつき部材２２６の表面に沿って優先的に留まり、またひだつき部材２２６と２２７との間のニップを通過した後に、第１のひだつき部材と冷却ローラ２５０との間のニップまで移送される。
【０１０７】
そのような三次元ウエブ１２６をひだつき部材２２６と２２７中に供給させるようになっているひだつき部材２２６と２２７は、それらの軸に関して０乃至９０度の範囲で一般に配向される隆起部２２８を有することができるが、好ましくは、それらの軸に関して０度に（すなわち軸に平行に）配向される隆起部２２８を有することができ、それによりひだつき部材２２６と２２７の製造が単純化される。
【０１０８】
中実の裏材１２１を金型２４０から押出す代わりに、複数の繊維を金型から押出して、図１７に図示される裏材層１５５のような裏材層を成形できる。
【０１０９】
熱可塑性材料を金型２４０のような金型から押出す代わりに、非溶融裏材を使用できる。ついでローラ２５０は、その裏材を三次元ウエブ１２６へ加熱接着するために加熱される。
【０１１０】
図２３は、貯蔵要素１４０を成形する本発明に従う方法と装置の他の実施例を概略図示する。その方法は、図２２に図示されるものと一般に同一であり、それと同一の装置の大部分を使用する（その装置の同様な部分は同一の参照数字を使用する）。ただし、冷却ローラ２５０の表面に沿って第１のひだつきローラ２２６と冷却ローラ２５０との間のニップ中に裏材１４７を供給するピンチローラ３４０を備える手段が付加され、その手段により金型２４０から押出された裏材１２１は、第１のひだつき部材２２６の周辺に沿って成形された三次元ウエブ１２６と冷却ロール２５０の表面に沿う裏材１２１との間に付着するので、溶融裏材層１２１が、三次元ウエブ１２６の固定部１２７を覆い、それを裏材１４７のシートへ接着し、その後に貯蔵要素１４０は、第１のひだつき部材２２６から分離され、ついで裏材１４５を冷却ロール２５０に対向した状態で冷却ロール２５０の周りに部分的に移送されて、裏材１２１の冷却と固化を完了する。溶融裏材１２１は、一定の用途に対して最も良く機能するように、ニップ中に、又はニップ前に第１のひだつき部材２２６上のウエブの固定部１２７上に、もしくはニップの直前に冷却ローラの周辺に沿う裏材１４７の第２のシート上に押出しできる。
冷却ロール２５０は、水冷式にでき、またそのような冷却ロール２５０が溶融裏材１２１からポリマー裏材１４７の第２のシートを通して、冷却ロール２５０中に与える高い熱伝達率の理由で、貯蔵要素１４０の成形に特に有用であるクロムメッキが周辺になされる。代わりに冷却ロール２５０には、その表面を形成する外部ゴム層を設けることができ、それは、裏材のシートが、冷却ロール２５０中へのそのような熱伝達を制約する傾向がある物質（例えば紙）のものであるならば、貯蔵要素１４０の成形にとり好ましく、その結果、ゴム層は、三次元ウエブ１２６の固定部１２７と裏材１４７の第２のシートとの裏材１２１の密接な接触を提供するように、第１のひだつきローラ２２６とのニップに隣接して変形する別の利点を有する。
【０１１１】
裏材１２１は、剥離ライナーが冷却ローラ２５０と接触するように配設される剥離ライナーに沿う感圧接着剤の層にもできるので、感圧接着剤の層は、剥離ライナーを感圧接着剤の層の上にした状態で感圧接着剤の層の後部表面だけに沿って配設され、かつ感圧接着剤を貯蔵要素１４０を支持体へ接着するのに使用できるように取外し可能である。
【０１１２】
好ましくは、ひだつき部材２２６と２２７用の駆動手段と冷却ローラ２５０用の駆動手段は、冷却ローラ２５０が、第１のひだつき部材２２６の表面速度と同一又は異なる表面速度で回転できるように個別に制御できる。冷却ローラ２５０と第１のひだつき部材２２６が、同一の表面速度で回転されるとき、三次元ウエブ１２６は、図１５乃至１８に図示されるように、第１のひだつき部材２２６の周辺に沿って有するものとほぼ同一の形状を裏材１２１に沿って有することになる。冷却ローラ２５０と第１のひだつき部材２２６が、冷却ローラが第１のひだつき部材２２６の表面速度よりも遅い表面速度で回転されるとき、三次元ウエブ１２６の固定部１２７は、冷却ローラ２５０と第１のひだつき部材２２６との間のニップにおいて裏材層１２１内で動かされるので、冷却ローラ２５０と第１のひだつき部材２２６同一の表面速度で回転されるときよりも、裏材１２１に沿うループ状の部分１３０の密度が大きくなる。ループ状の部分１３０の量又はループ数を増加するこの手法は、同一の装置を使用して裏材長さのセンチメートル当たりループ状の部分１３０の種々の数を有する貯蔵要素を製造するために、及び、そのような隆起部２２８を共に近づくように機械加工する際の物理的限界の理由でひだつき部材２２６と２２７上に機械加工される隆起部２２８間に成形されるものより、裏材長さのセンチメートル当たりループ状の部分１３０が多い貯蔵要素を製造するために有用である。
【０１１３】
貯蔵要素１５２の別の実施例は、非限定例が図５，６及び８に示される多数の個別の粒状物１７２を含む多粒状物構造部材１７０を備える。多粒状物構造部材１７０は好ましくは、約１．０ｍｍと約２５．４ｍｍとの間、またより好ましくは約２ｍｍと約１６ｍｍとの間の公称サイズを有する。しかしながら０．５ｍｍ以下のような小さい粒状物、及び約２５．４ｍｍよりも大きい粒状物が意図される。約１．０ｍｍ以上の公称サイズを有する粒状物は、米国標準Ｎｏ．１８のメッシュふるいスクリーンの表面上に一般に保持されるものである。約２５．４ｍｍ未満の公称サイズを有する粒状物は、米国標準２５．４ｍｍふるいスクリーンを一般に通過するものである。１６ｍｍ以上の公称サイズを有する粒状物は、米国標準Ｎｏ．１６ｍｍふるいスクリーンの表面上に一般に保持されるものである。この公称粒状物サイズは、試験又は使用のために、粒状物を貯蔵要素１５２中に組込む前に測定される。８ｍｍ以上の公称サイズを有する粒状物は、米国標準８ｍｍふるいスクリーンの表面上に一般に保持されるものである。
【０１１４】
多粒状物構造部材１７０は、任意の数の粒状物１７２を含むことができる。更に粒状物１７２は、未接合で構造部材１７０内を自由に移動できるか、又は既知の手段により互いに接合できる。代わりに構造部材１７０は、メルトブラウン熱溶融型にかわ、ウエブ、網状織物、スクリム織物、糸、又は他の接着剤、もしくは非接着性エンタングルサポートのような外部サポートを備えることができる。
粒状物１７２の一部を、トップシート又はコアのようなおむつ構造部材の他の部分へ接合することもできる。粒状物１７２は、プリーツ、「まくら」及びポケットのようなパターン付けした三次元区域内に収納することもできる。
【０１１５】
先の実施例の貯蔵要素２９は、多粒状物構造部材１７０の外部サポートの一部分を形成することもできる。先の実施例の貯蔵要素２９の成形された繊維２６のシートと裏材１２１により仕切られる空間は、粒状物１７２を収納する三次元構造部材を形成することもできる。
【０１１６】
個別の粒状物１７２は、吸収性コア２８又は貯蔵要素１５２に関して上述した材料を含む、吸収性物品の使用に適切な材料から製造できる。粒状物１７２に使用される材料は、吸収性、非吸収性、マイクロポーラス、マクロポーラス、弾性、非弾性などのものでよいし、又は他の望ましい特性を有するものでもよい。粒状物１７２内の使用に適切なマクロポーラス吸収材料の例として、嵩高不織物、連続気泡発泡体、繊維束、及びスポンジなどがある。他の吸収材料として、セルロースバット、毛管路繊維、超吸収性ポリマーのような浸透貯蔵材料などがある。非吸収性粒状物１７２は、プラスチック、金属、セラミック、ガラス、独立気泡発泡体、カラム充填材料、合成材料、ゲル、封入ガス、及び液体などを含むことができる。更に粒状物１７２の一部又は全ては、脱臭剤、ローション、皮膚保護配合剤、抗微生物剤、ｐＨ緩衝剤、酵素抑制剤などを含むことができる。
【０１１７】
貯蔵要素１５２は、粒状物１７２の単一の種類（サイズ、形状、材料など）から構成できるし、又は種々の粒状物１７２の混合物を含むことができる。その混合物は、均質であり、種々の特性を有する粒状物１７２が貯蔵要素１５２の一定の部位に配設されるときのように不均質であり、層に分離され、又は他の望ましい形状であることができる。幾つかの実施例において、混合物の２つ以上の種類を採用できる（例えば、マクロポーラスで非吸収性粒状物１７２は、１つの層において均質に混合され、一方、他の層が吸収性粒状物だけを含む）。粒状物の異なる層は、互いに直接隣接できるか、又は網状織物、スクリム織物、不織ウエブ又は織ウエブ、フイルム、発泡剤、接着剤などの１つ以上の材料により分離できる。
【０１１８】
マクロ粒状物構造部材１７０は好ましくは、粒状物１７２間の空間により形成される連続した隙間空隙空間１７４を備える。粒状物１７２のサイズ及び／又は形状を変えることにより、隙間空隙空間１７４を調節できる。それらの粒状物は、球形、偏球楕円体、方形、及び多角形中実体などを含む任意の既知の形状のものでよい。表２は、特定の選択対象の形状と公称サイズを有する粒状物の空隙率を示す。他の適切な形状と空隙率は、１９８４年版マグローヒル社、ペリーの化学工学ハンドブック第６版の頁１８乃至２０に記載される。
【０１１９】
【表２】
2010188136.tif 000004
【０１２０】
貯蔵要素１５２は、その構成には関係なく、貯蔵要素１５２へ圧縮力が加えられたときに容量のかなりのレベルを維持するように、圧縮に抗するべきである。
好ましくは貯蔵要素１５２は、１ｐｓｉの圧縮力を受けたときに、その初期厚さの少なくとも約３５％を維持できる。より好ましくは貯蔵要素１５２は、１ｐｓｉの圧縮力を受けたときに、その初期厚さの少なくとも約５０％、最も好ましくは少なくとも約７０％の厚さを維持すべきである。一般に好ましい実施例において貯蔵要素１５２は、１ｐｓｉの圧縮力を受けたときに、その初期厚さの約３５％と９９％との間に維持できる。より好ましくは、貯蔵要素１５２は、１ｐｓｉの圧縮力を受けた時に、その初期厚さの約５０％と９５％との間に維持すべきである。貯蔵要素１５２は、その力を除いたときに、それ自体でそのほぼ初期厚さに復元できるべきである。好ましくは貯蔵要素１５２は、１ｐｓｉの圧縮力を除いた後に、その初期厚さの少なくとも約８０％、より好ましくはその初期厚さの少なくとも約９０％を回復すべきである。
【０１２１】
貯蔵要素１５２は、その貯蔵機能に加えて、吸収性接着２０内の粘性流体身体排泄物をバックシート２６の平面に一般に平行な方向に移送できる。この移送は、毛管力又は他の力により粘性流体身体排泄物又はその成分（例えば自由水）の移動が生じるように能動的である。他の実施例において移送が受動的であるので、粘性流体身体排泄物又はその成分は、重力、着用者の圧力又は着用者の動きなどの外部から加えられる力の影響を受けて構造部材を通して移動する。受動的移送の場合、貯蔵要素１５２は、粘性流体身体排泄物が最小のエネルギー入力で構造部材を通して容易に移動できるように、比較的大きい、相互に接続される流路などを有する必要がある。
【０１２２】
表３は、幾つかの個別の貯蔵要素構造部材に関する圧力下での貯蔵性能データを記載する。個別の貯蔵要素１５２の圧力下での貯蔵性能は、単一構造部材に関して以下に述べる圧力下での貯蔵試験と同一の方法で測定できる。ただし個別の貯蔵要素１５２は、他の構造部材とは別個に、かつ標準受入要素１５０に基づいて試験される。標準受入要素１５０は、イリノイ州シカゴにあるＭｃＭａｓｔｅｒ  Ｃａｒｒ  Ｓｕｐｐｌｙ  Ｃｏｍａｐｎｙから＃９２２６Ｔ４５として入手できる、ステンレス金網形式３０４（標準等級）１６ｘ１６メッシュである。
【０１２３】
【表３】
2010188136.tif 000005
【０１２４】
不動化要素
受入れ要素１５０又は貯蔵要素１５２に加えて、又はその代わりに、本発明の排泄物管理要素１２０は好ましくは、不動化手段すなわち不動化要素１５４を備える。不動化要素１５４は、吸収性物品により受入れ貯蔵される粘性流体身体排泄物を不動化及び保持できるべきである。好ましくは不動化要素１５４は、排泄物管理要素１２０により受入れられる粘性流体身体排泄物の少なくとも約７０％に対応する不動化値を有すべきである。より好ましくは不動化要素１５４は、排泄物管理要素１２０により受入れられる粘性流体身体排泄物の少なくとも約８０％、及び最も好ましくは少なくとも約８５％に対応する不動化値を有すべきである。一般に、少なくとも約７０％と約１００％との間、及び約８０％と約１００％との間の圧縮変転下での不動化値が、受入れできることが判明している。更に、不動化要素１５４は、構造部材を浸透する粘性流体身体排泄物の約７．５ｇよりも多く保持できるべきである。より好ましくは不動化要素１５４は、構造部材を浸透する粘性流体身体排泄物の約８．０ｇよりも多く、及び最も好ましくは約８．５ｇよりも多く保持できるべきである。一般に、少なくとも約７．５ｇと約１００．０ｇとの間、及び約８．０ｇと約１００．０ｇとの間の圧縮変転下での保持値が、受入れできることが判明している。
【０１２５】
不動化要素１５４は、残りの構造部材から不動化要素１５４に浸透した粘性流体身体排泄物の性向を減少できる任意の材料又は構造部材でよい。かくして、不動化要素１５４は、単一の材料、又は互いに機能的に関連する幾つかの材料を備えることができる。更に不動化要素１５４は、おむつ２０の他の要素と単一にでもよいし、又はおむつ２０の１つ以上の要素と直接又は間接に接合される１つ以上の個別の要素でもよい。例えば不動化要素１５４は、貯蔵要素１５２の下に配設される未接合材料層でもいし、又は上述のように粘性流体身体排泄物を不動化及び保持できる貯蔵要素１５２の全て又はその一部分を備えてもよい。いずれの場合も、不動化要素１５４を貯蔵要素１５２と受入要素１５０と機能的に関連させることが好ましい。これは、物品により受入れ及び／又は貯蔵される粘性流体身体排泄物を不動化要素１５４中に確実に流入させるか、又はそれと接触させるために必要である。したがって、物品の股区域３７の少なくとも一部分において、不動化要素１５４を貯蔵要素１５２と受入要素１５０との下に位置決めすることが望ましい。しかしながら上述のように、貯蔵要素１５２が移送能力を有するならば、不動化要素１５４は、受入れ及び／又は貯蔵される粘性流体身体排泄物を不動化要素１５４へ移送できるように、おむつ２０内の任意の箇所に位置決めできる。更に受入要素１５０と貯蔵要素１５２の場合と同様に、おむつ２０は、均一又は不均一の圧縮変転下での不動化性能特性を有することができる。かくして１つ以上の不動化要素１５４は、種々の不動化及び／又は保持性能の区域を有する物品内に組込むことができる。更に不動化要素１５４の一部分又は全てを、必要に応じて別個に処分するために、吸収性物品から取外しできる。
【０１２６】
不動化要素１５４に使用される適切な材料として、マイクロポーラス発泡体、超吸収性ポリマー粒状物又は繊維、セルロース繊維、毛管路繊維、エンタングル合成繊維バットなどがある。幾つかの好ましい材料として、米国特許第５，２６０，３４５号、第５，３８７，２０７号及び第５，６２５，２２２号に記載されるもののような発泡吸収材料がある。他の好ましい材料として、１９９２年９月１５日にＹｏｕｎｇなどに付与された「失禁管理用高効率吸収性物品」という名称の米国特許第５，１４７，３４５号に記載されるもののような吸収ゲル化材料がある。これらの特許のそれぞれは、ここに参照として組込まれる。
【０１２７】
幾つかの個別の不動化要素についてのデータが、表４に示される。個別の不動化要素１５４の圧縮変転下での不動化性能についての試験は、使用を意図して構成された構造部材に関して以下に説明される圧縮変転下での不動化試験方法と同一である。ただし、それは、個別の貯蔵要素１５２及び／又は不動化要素１５４だけについて実施され、またトップシート又は受入要素のような真上にある要素を含まない。更にサンプルは、上述の標準受入要素１５０で試験される。（類似物Ｂは、試験類似物として使用される）
【０１２８】
【表４】
2010188136.tif 000006
【好ましい実施態様】
【０１２９】
上述のように本発明は、おむつ、トレーニングパンツ、失禁用ブリーフ、失禁用下着又はパッド、吸収挿入部材、おむつホルダー又はライナー、女性衛生衣類、拭き布、使い捨てモップ、包帯などのような多くの種類の吸収性物品に適用できる。かくして本発明の好ましい実施例の以下の例は、本発明の範囲を限定するように解釈されないものとする。
【０１３０】
本発明の１つの好ましい実施例は、図５と６に図示される吸収性物品２０である。吸収性物品２０は、第１のウエスト区域３６、第２のウエスト区域３８、及び第１のウエスト区域３６と第２のウエスト区域３８との間に位置する股区域３７を有する。おむつ２０は、トップシート２４、バックシート２６、及びトップシート２４とバックシート２６との間に位置する吸収性コア２８を備える。トップシート２４は、コア２８の身体に面する表面４７に隣接して第１のウエスト区域３６の少なくとも一部分に配設される。またおむつ２０には、受入要素１５０も備えられ、その要素は、トップシート２４と接合し、また股区域３７の少なくとも一部分及び第２のウエスト区域３８の少なくとも一部分を通してトップシート２４から離れて長手方向に延びる。受入要素１５０は、織網状織物を備えることができる。具体的には、それは、バージニア州ノーフォークにあるＤｏｌｌａｒ  Ｔｒｅｅ  Ｄｉｓｔ．のＴｏｙ  Ｔｕｂ  Ｂａｇとして入手できるような織網状織物を備えることができる。
【０１３１】
おむつ２０は、受入要素１５０とバックシート２６との間に位置する貯蔵要素１５２を更に備える。貯蔵要素１５２は、股区域３７の少なくとも一部分及び第２のウエスト区域３８の少なくとも一部分に位置する。この実施例において貯蔵要素１５２は、粒状物１７２を含む多粒状物構造部材１７０を備える。具体的には多粒状物構造部材１７０は、米国特許第５，２６０，３４５号に記載されるように平方メートル当たり約４５グラムの坪量を有する発泡吸収材料の帯片の約０．３５グラムと混合される、以下の例４からのスクラバー粒状物の約２グラムを含む。その帯片は、長さが約１９ミリメートル、幅が６．４ミリメートル、及び厚さが２ミリメートルの寸法を有する。スクラバー粒状物は、平方メートル当たり１２６グラムの坪量を有する約０．８ｍｍ厚さの「湿潤まで薄い（ｔｈｉｎ  ｕｎｔｉｌ  ｗｅｔ）」吸収性発泡材料（ここに参照として組込まれる米国特許第５，３８７，２０７号に記載される）の物品の長手方向軸に沿って配設される２．５インチｘ６．４インチ（１６平方インチ）の部位にわたり分布される。スクラバー粒状物は、吸収性発泡帯片と比較的均質に混合され、また「湿潤まで薄い」吸収性発泡材料の層により外接される部位内で自由に動く。それらの粒状物と帯片は好ましくは、織網状織物のトップシート又は他の層へ接着されない。受入要素１５０は、「湿潤まで薄い」吸収性発泡材料の層の周辺外側の真下の層へ接着される。
【０１３２】
他の実施例において、図８に示されるように本発明の吸収性物品は、着用者へ別個に適用されるか、又は着用者の下着又は外部カバーなどの中に載置されるのを意図する挿入部材２１すなわち生理用ナプキンにできる。かくして挿入部材２１は、パンツの形態をとるのを一般に意図されないが、着用者の周りの所定位置に挿入部材２１を保持するパンツ又は他の構造部材と連係して使用されることになる。吸収性挿入部材２１は、中央区域１３７により分離される一対の対向する端部区域１３５を有し、また吸収性コア２８、受入要素１５０、貯蔵要素１５２及び／又は不動化要素１５４を備えることができる吸収性集成物２７を有する。
挿入部材２１は、使用中に挿入部材２１をパンツ又は外部カバー２９内の所定位置に保持する１つ以上の装着要素４１を備えることもできる。装着要素４１は、吸収性物品を下着へ装着するために、接着剤、接合剤、フック、スナップ、バックル、ボタン、タイ、磁気手段、電子手段及び／又は他の既知の手段を含むことができる。
【０１３３】
貯蔵要素１５２の別の実施例は、吸収性物品２０の全体排泄物管理構造部材１２０の代替貯蔵要素１５２／２９を備えるであろう。更に別の組合せは、個別粒状物１７２用の多粒状物構造部材１７２として貯蔵要素２９の使用を含むであろう。
【０１３４】
試験方法
粘性
粘性は、調節された応力レオメトリー計により測定できる。適切なレオメトリー計は、デラウエア州ニューキャッスルにあるＴ．Ａ．Ｉｎｓｔｒｕｍｅｎｔｓ，Ｉｎｃ．から、モデル番号ＳＣ２１００として入手できる。レオメトリー計は、ステンレス平行プレート取付け具を利用する。レオメトリー計は、サンプルが上に置かれる剛性水平の第１のプレート、及び第２のプレートの軸が第１のプレートに対して直交するように第１のプレート上に取付けられる第２のプレートを有する。第２のプレートは、径が２又は４センチメートルである。２センチメートル（２ｃｍ）平行プレートは、硬いペースト状又はかなり粘液状のサンプルに使用され、一方、４センチメートル（４ｃｍ）平行プレートは、非常に流動性すなわち「水状」の便状サンプルに使用される。第１と第２のプレートは、測定過程中２０００ミクロンまで離間される。第２のプレートは、軸方向回転のために駆動軸へ接続される。駆動モータ及び歪みセンサも、駆動軸上に取付けられる。
【０１３５】
試験される類似物の適切なサンプル（典型的には２乃至３グラム）が、第１のプレートの中心に、かつ第２のプレートの軸の真下のほぼ中心に置かれる。試験前に未消化食物の大きい片（例えば種）があれば、取除かれる。第１のプレートは、所定の位置まで上げられる。第２のプレートの径を越えて押しのけられるサンプルの過剰量は、へらを使用して取除かれる。測定過程中水分損失による縁効果を防止するために、ついで水がサンプルの縁部の周りに霧吹きされる。硬いペースト状サンプルの場合、５０乃至５０，０００ダイン／ｃｍ２のせん断力が、プログラムされてレオメトリー計によりサンプルへ加えられる。流動性で水状のサンプルの場合、５乃至５，０００ダイン／ｃｍ２のせん断力が代わりに使用された。データは、指数法則関数に適合され、そこにおいて見掛粘度はｋｊ（ｎ−１）、ｋはコンシステンシー（ｃＰｘｓｅｃ（ｎ−１）の単位）、ｊはせん断速度（１／ｓｅｃの単位）、及びｎはせん断インデックス（無次元）である。したがってｊが１／ｓｅｃであるとき、粘性はｋである。（プレートは、試験を通して３５度Ｃに維持される。）
圧力下での受入と感応性
圧力下での受入は、図２に図示される機器１３９を使用する以下の試験により測定される。中空のプレキシグラス円筒形体１４０が、約９．５ｍｍ厚さのステンレスプレート１４２上に取付けられる。そのプレートは、約１０．１６ｃｍｘ１０．１６ｃｍ（約４インチｘ４インチ）の正方形である。その円筒形体１４０とプレートの組合せは、７．６センチメートル（約３．０インチ）の高さ、５．０８センチメートル（約２．００インチ）の内径、及び６．３センチメートル（約２．４８インチ）の外径を有する。円筒形体１４０の底部は、プレート１４２の下に約３．５ミリメートルの間隔だけ延びる。突起部１４３は、試験流体１６６が指定試験部位の外へ漏れるのを防止する。それぞれが５．０８ｃｍ（約２．０インチ）の径を有する２つの６２５グラムの重り１５６が設けられる。
【０１３６】
円筒形の２４．６グラムのプレキシグラス重り１４４が設けられる。その重り１４４は、５．０８センチメートル（約２．０インチ）の径を有するので、円筒形体１４０内に精密交差で適合するが、円筒形体１４０内の孔１４１を通して自由に摺動できる。この配置により、約１１９パスカル（Ｐａ）（平方インチ当たり約０．０１７ポンド）の圧力、及び約２０．２７平方ｃｍ（約３．１４２平方インチ）の試験部位が提供される。必要に応じて、重り１４４は、円筒形体１４０に容易に挿入でき、かつそれから取外すことができるようにハンドル１４５を有することができる。そのような場合、ハンドル１４５と円筒形重り１４４の組合せ質量は、２４．６グラムに等しくすべきである。
【０１３７】
圧力下での受入特性について試験される構造部材のサンプル１４６が提供される。サンプル１４６は、既存のおむつから切断されるか、又はおむつに成形されていない材料から作製できる。サンプル１４６は、トップ層１６１を含めて、物品での使用を意図する全体構造部材、又は評価される物品の全体構造部材を含む。（個別の受入要素の圧力下での受入性能を測定するために、受入要素の項で上述したように、圧力下での受入試験は、真下の構造部材又は層の代わりに標準貯蔵要素１４７を使用して実施される。）サンプル１４６は、１０．１６ｃｍｘ１０．１６ｃｍ（約４インチｘ４インチ）の寸法がある正方形に切断する。
【０１３８】
４インチｘ４インチの寸法がある大きい坪量の吸取紙１４９の５層が設けられる。サンプル１４６のトップ層１６１が取外され、またサンプル１４６の残りの要素又は層（複数の要素又は層があれば）、及び吸取紙材料１４９の５層は、最も近い０．０１グラムまで計重される。かくしてサンプル１４６がおむつから取られているならば、トップシート、二次的トップシート、獲得層、吸収性コアなどのおむつの層を、計重前に分離する。（ある場合には、単一層が２つ以上の永久的に接着された要素を含むことがある。）そのように実施する際、サンプル１４６を破らないように、又はサンプル１４６の部分を偶然に全体を変形させないように注意しなければならない。サンプル１４６の層は、サンプル１４６の隣接する層からの分離を助けるために凍結できる。その凍結は、マサチューセッツ州ウオルサムにあるＰｈｉｌｉｐｓ  ＥＣＧ，Ｉｎｃ．製のＰＨ１００１５回路冷媒を使用して達成できる。
【０１３９】
サンプル１４６は、サンプル１４６の側面を、上に面した着用者に面し、かつ吸取紙材料１４９から離すようにして、吸取紙材料１４９の５枚の重ねられた層上に最初に構成されたように再集成する。吸取紙材料１４９は好ましくは、ペンシルバニア州Ｍｔ．Ｈｏｌｌｙ  ＳｐｒｉｎｇｓにあるＡｈｌｓｔｒｏｍ  Ｆｉｌｔｒａｔｉｏｎ  Ｉｎｃ．から、メートル当たり約９０グラムの坪量を有する＃６３２−０２５として入手できるろ過等級紙である。
【０１４０】
サンプル１４６と吸取紙材料１４９の集成体は、Ｓｔｅｖｅｎｓ−Ｆａｒｎｅｌｌ  ＱＴＳ−２５  Ｍｏｄｅｌ  ７１１３−５ｋｇ  テキスチャー・アナライザー１６０（英国ＨａｔｆｉｅｌｄにあるＬｅｏｎａｒｄ  Ｆａｒｎｅｌｌ  Ｃｏ．から入手できる）の測定表面１６４上の中心に合わせ、かつプローブ１６２の下に置かれる。適切なプローブ１６２は、英国ＨａｔｆｉｅｌｄにあるＬｅｏｎａｒｄ  Ｆａｒｎｅｌｌ  Ｃｏ．から入手できる１００ｃｍ平坦端部円筒形アルミニウム伸張ロッド「ＱＳＴＭ３１００」である。円筒形体１４０は、サンプル１４６上に中心が合わされる。２つの６２５グラム重り１５６は、プレート１４２の対向する隅部（斜めに）に載置されて、そのプレートを安定化する。約４乃至６ミリメートルの開口部を有する注射器が、円筒形体１４０の孔１４１を通して約１０立方センチメートルの粘性流体身体排泄物類似物１６６をサンプル１４６の上部へ小出しするのに使用される。
【０１４１】
粘性流体身体排泄物類似物の類似物Ａは、オハイオ州ＢｒｅｃｋｓｖｉｌｌｅにあるＢ．Ｆ．Ｇｏｏｄｒｉｃｈ  Ｃｏｒｐｏｒａｔｉｏｎから入手できるＣａｒｂｏｐｏｌ  ９４１、又は同等なアクリルポリマーの１０グラムを９００ミリリットルの蒸留水内で混合することにより作られる便状物質である。Ｃａｒｂｏｐｏｌ  ９４１及び蒸留水は、個別に計重及び測定される。２インチ径のパドルを有する３枚羽根型プロペラ（オハイオ州シンシナチにあるＶＷＲ  Ｓｃｉｅｎｔｉｆｉｃ  Ｐｒｏｄｕｃｔｓ  Ｃｏｒｐ．から、カタログ＃ＢＲ４５５３−６４、３／８“攪拌シャフトＢＲ４５５３−５２へ装着されるものが入手できる）が、蒸留水を攪拌するのに使用される。プロペラ速度は、混合中は４５０ｒｐｍで一定にする。攪拌機には、飛まつを生じることなく渦巻きを形成させる。Ｃａｒｂｏｐｏｌは、渦巻き中に引かれ、かつ白いかたまり、すなわち「魚の目」を形成することなく混合されるように、水中に徐々に篩い分けされる。混合物は、全てのＣａｒｂｏｐｏｌが添加されるまで攪拌され、ついでその後、２分間攪拌される。混合物を含むボウルの側面は、かきとり、また均質な混合物が得られるように必要に応じて回転すれば、混合物は気泡で僅かに濁るようになる。ニュージャージー州ＰｈｉｌｌｉｐｓｂｕｒｇにあるＪ．Ｔ．ＢａｋｅｒＣｏ．から入手できる１．０Ｎ容量ＮａＯＨ溶液の１００グラムを、ついで徐々に計算しながら混合物中に入れ、その混合物を均質になるまで攪拌する。混合物は濃くなり、透明になるはずである。その混合物をアルカリ溶液添加後に２分間攪拌する。その中和された混合物を少なくとも１２時間平衡させ、その後９６時間以内に圧力下での受入試験に使用する。Ｃａｒｂｏｐｏｌ混合物を、使用前に、均質になるように、約１分間低速度（約５０ｒｐｍ）で攪拌する。
【０１４２】
類似物Ａは、適正に調整されるならば、５５と６５グラムの間の「硬さ」値を有するはずである。硬さは、Ｓｔｅｖｅｎｓ−Ｆａｒｎｅｌｌ  ＱＴＳ−２５  テキスチャー・アナライザー、Ｍｏｄｅｌ  ７１１３−５ｋｇを使用し、かつ４８６プロセッサ又はそれよりも高位のプロセッサを有するＩｎｔｅｌベースのマシン上で付属ソフトウエアを使用して測定される。１／２インチ、ステンレス球形プローブ及び類似物受容器が設けられる。適切なプローブは、英国ＨａｔｆｉｅｌｄにあるＬｅｏｎａｒｄ  Ｆａｒｎｅｌｌ  Ｃｏ．から入手できるＴＡ１８である。類似物受容器は、７ミリメートル低密度直線ポリエチレンシンチレーションバイアル（０．５５インチ±０．００５インチの内径を有する）を１５ミリメートル長さに切断することにより製作できる。適切なバイアルは、ニュージャージー州ＶｉｎｅｌａｎｄにあるＫｉｍｂｌｅ  Ｇｌａｓｓ  Ｃｏｍｐａｎｙから＃５８５０３−７バイアルとして入手できる。類似物受容器は、試験される類似物で上端縁部から２ミリメートル以内に充填される。バイアルは、１／２インチ、ステンレス球形プローブの下に中心決めされる。プローブは、バイアル内の類似物の表面から約１ミリメートルの深さまで下げられる。プローブ１６２は、毎分１００ミリメートルで７ミリメートル下方へ動かされ、ついで停止される。
硬さは、プローブの７ミリメートル行程上でプローブにより生じた最大記録抵抗力である。（部屋と類似物の温度は、測定中、約６５乃至７５の華氏温度にする。）
【０１４３】
粘性流体身体排泄物類似物１６６、類似物Ａの適量が、一旦、円筒形体１４０中に計量して入れられると、２４．６グラム重り１４４が、類似物の表面に載るまで、円筒形体１４０の孔１４０中に徐々にゆっくりと挿入される。テキスチャー・アナライザー１６０は、約１４４．６グラムの抵抗力に達するまで毎分１０ミリメートルの速度で円筒形重り１４４をプローブ１６２が押すように、作動される。テキスチャー・アナライザー１６０は、一旦、１４４．６グラムの抵抗力に達すると、下向行程を停止するように設定される。レコーダーは、５グラムの抵抗力で起動するように設定される。（１４４．６グラムの最大抵抗力は、平方インチ当たり７００パスカルすなわち０．１ポンドの印加圧力に対応する）。一旦、１４４．６グラムの抵抗力に達すると、プローブ１６２は、その開始位置まで引き込まれる。
【０１４４】
重り１４４が円筒形体１４０から取外され、ついで円筒形体１４０が、円筒形体１４０内に残る類似物Ａをサンプル上に滴下しないように注意して、サンプル１４６の表面から取外される。ついでサンプル１４６のトップ層１６１は、可能ならば、真下の層の表面に平行にトップ層１６１を引っ張ることにより、サンプル１４６の、真下の層から取外される。トップ層１６１を真下の層に平行に引っ張ることによる取外すことが難しい一定の構造部材の場合、トップ層１６１をサンプル１４６の真下の層から剥離するか、又は持ち上げてもよい。サンプル１４６が単一の層だけを含むならば、以下に述べる標準受入要素１５０は、サンプル１４６のトップ層１６１として利用される。サンプル１４６の真下の層と吸取紙材料１４９がついで計重される。サンプル１４６により受入れられる類似物Ａの量は、単位面積ベースで実施された単位仕事（ミリジュール）当たり、サンプル１４６のトップ層を通して浸透する試験類似物により生じるサンプル１４６の真下の層と吸取紙材料１４９を組合せた重量の増加に等しい。単位仕事を計算するのに使用される圧力を受ける面積対距離のカーブは、１４４．６グラムの最大力が記録されるまで移動する合計距離を通して、下向き行程上のプローブに抗する力を積分して計算される。単位仕事は、下記の等式を使用して計算される。
単位仕事（ｍＪ）＝圧力を受ける面積対距離のカーブ（ｇ／ｍｍ）（９．８１ｍ／ｓ２）／（１０００ｍｍ／ｍ）
【０１４５】
圧力下での感応性は、上述の圧力下での受入と同一の方法で測定される。ただしプローブ１６２の下向き行程上での１４４．６グラムの抵抗力の到達に必要な時間が測定及び記録される。圧力下での感応性は、下記の等式を使用して計算される。
圧力下での感応性（ｇ／ｉｎ２／ｍＷ）＝圧力下での受入（ｇ／ｉｎ２／ｍＪ）ｘ１４４．６グラム抵抗力到達に必要な時間（ｓｅｃ）
【０１４６】
圧力下での貯蔵
圧力下での貯蔵は、図２に図示される、上述の同一の機器１３９を使用して測定される。圧力下での受入試験に記載される中空円筒形体１４０、重り１４４、及び６２５ｇ重り１５６が設けられる。圧力下での貯蔵特性について試験される構造部材のサンプル１４６も提供される。同様にサンプル１４６は、既存のおむつ２０から切断されるか、又はおむつに成形されていない材料から作製できる。
サンプル１４６は、物品での使用を意図する全体構造部材、又は評価される物品の全体構造部材を含む。（個別の貯蔵要素の圧力下での貯蔵性能を測定するために、貯蔵要素の項で上述したように、圧力下での貯蔵試験は、真下の構造部材又は層の代わりに標準受入要素１５０を使用して実施される。）サンプル１４６は、１０．１６ｃｍｘ１０．１６ｃｍ（約４インチｘ４インチ）の寸法がある正方形に切断する。
【０１４７】
４インチｘ４インチの寸法がある大きい坪量の吸取紙１４９（上述の圧力下での受入試験記載されるものと同一）の５層が設けられる。サンプル１４６のトップ層１６１が取外され、またサンプル１４６の残りの要素又は層（複数の要素又は層があれば）、及び吸取紙材料１４９の５層は、最も近い０．０１グラムまで計重される。かくしてサンプル１４６がおむつから取られているならば、トップシート２４のようなおむつのトップ層１６１を、計重前に分離する。そのように実施する際、サンプル１４６を破らないように、又はサンプル１４６の部分を偶然に全体を変形させないように注意しなければならない。サンプル１４６の層は、サンプル１４６の隣接する層からの分離を助けるために上述のように凍結できる。
【０１４８】
サンプル１４６は、サンプル１４６の側面を、上に面した着用者に面し、かつ吸取紙材料１４９から離すようにして、吸取紙材料１４９の５枚の重ねられた層上に最初に構成されたように再集成する。サンプル１４６と吸取紙材料１４９の集成体は、テキスチャー・アナライザー１６０（上述の）の測定表面１６４上の中心に合わせ、かつプローブ１６２の下に置かれる。円筒形体１４０は、サンプル１４６上に中心が合わされる。２つの６２５グラム重り１５６は、プレート１４２の斜めに対向する隅部に載置されて、そのプレートを安定化する。約４乃至６ミリメートルの開口部を有する注射器が、円筒形体１４０の孔を通して約１０立方センチメートルの類似物Ａ（上述ののような）をサンプル１４６の上部へ小出しするのに使用される。２４．６グラム重り１４４が、円筒形体１４０の孔１４１に挿入され、またテキスチャー・アナライザー１６０は、１４４．６グラムの抵抗力に達するまで毎分１０ミリメートルの速度で円筒形重り１４４をプローブ１６２が押すように、作動される。（１４４．６グラムの最大抵抗力は、平方インチ当たり７００パスカル又は０．１ポンドの印加圧力に対応する）。一旦、１４４．６グラムの抵抗力に達すると、プローブ１６２は、その開始位置まで引き込まれる。
【０１４９】
重り１４４が円筒形体１４０から取外され、ついで円筒形体１４０と重り１５６が、円筒形体１４０内に残る類似物Ａをサンプル上に滴下しないように注意して、サンプル１４６の表面から取外される。ついでサンプル１４６は、可能ならば、測定表面１６４に平行にサンプル１４６を引っ張ることにより、テキスチャー・アナライザーの測定表面１６４から取外される。トップ層１６１を真下の層に平行に引っ張ることによる取外すことが難しい一定の構造部材の場合、トップ層１６１をサンプル１４６の真下の層から剥離するか、又は持ち上げてもよい。
サンプル１４６と吸取紙材料１４９がついで計重される。貯蔵される試験類似物Ａ１６６の量は、単位面積ベースで、サンプル１４６中に浸透する試験類似物Ａにより生じるサンプル１４６の真下の層と吸取紙材料１４９を組合せた重量の増加に等しい。
【０１５０】
圧縮変転下での不動化と保持
圧縮変転下での不動化と圧縮変転下での保持を測定するために、円筒形体１４０がプレート１４２上に取付けられる。円筒形体１４０は、７．５センチメートル（約２．９５インチ）の高さ、５．０８センチメートル（約２．００インチ）の内径、及び６．３センチメートル（約２．４８インチ）の外径を有する。中空円筒形体１４０とプレート１４２は、上述の圧力下での受入と圧力下での貯蔵の試験に使用されたものと同一である。ただし、プレートは、その底部に「突起部」１４３を有しないし、また円筒形体１４０とプレート１４２はステンレス製である。ステンレス製の円筒形体１４０とプレート１４２は、約１１７０グラムの組合せ重量を有する。
【０１５１】
試験される構造部材のサンプル１４６が提供され、またトップ層１６１は、サンプル１４６に含まれれば、取外される。サンプル１４６の残りの真下の層、及び吸取紙１４９の５層が集成されて、計重される。ついでトップ層１６１が、その集成体の上端に置かれる。サンプル１４６は、構造部材に製造されなかった材料から製造することもできる。試験されるサンプル１４６と吸取紙１４９の組合せられた集成体は、ベンチトップ１６５上に置かれる。（個別の不動化と保持の要素の圧縮変転下での不動化と圧縮変転下での保持の性能を測定するために、不動化要素の項で上述したように、圧縮変転下での不動化試験が、トップ層１６１の代わりに標準受入要素１５０を使用して実施される。全ての真下の層が、この評価に含まれる。）約４乃至６ミリメートルの開口部を有する注射器が、円筒形体１４０の孔を通して約１０立方センチメートルの試験類似物をサンプル１４６の上部へ小出しするのに使用される。この測定に使用される試験類似物（類似物Ｂ）は、以下のように調整された水性ポリアクリルアミド溶液である。ウイスコンシン州ミルウオーキーにあるＡｌｄｒｉｃｈ  Ｃｈｅｍｉｃａｌ  Ｃｏｍｐａｎｙから入手できるポリアクリルアミドの２２．５グラムが、オハイオ州シンシナティにあるＰｒｏｃｔｅｒ＆  Ｇａｍｂｌｅ  Ｃｏｍｐａｎｙから入手できるＤａｗｎ皿洗溶液の２０グラムを１０００ｍｌの蒸留水で希釈されたものと混合される。混合は、類似物Ａの混合に使用された同一のプロペラを使用してなされる。ただし、プロペラ速度は、混合中は６５０ｒｐｍに一定にする。混合は、１８０°Ｆで水浴中において３０分間なされる。加熱された水浴が取外され、混合物は、更に３０分間攪拌される。混合物は、少なくとも１２時間平衡化されて、その後９６時間以内に圧縮変転下での不動化試験に使用される。類似物Ｂを、約７．５と約１０．５グラムとの間の硬さ値（類似物Ａについて上述したように測定される）を有するようにする。類似物Ｂは、母乳で育てられる小児からの実際の流動状便の水吸引力を模擬するようになっている。類似物Ｂは、類似物Ａよりも一般に受入れが容易であり（すなわち、より流動性があり）、保持を一層難しくする。
【０１５２】
試験類似物（類似物Ｂ）は、重力の下で３分間サンプル１４６に浸透される。
ついで円筒形体１４０がサンプル１４６の表面から取外され、全体サンプル１４６が計重される。ついでサンプル１４６のトップ層１６１が、真下の層の表面からトップ層１６１を垂直に持ち上げ、過剰な類似物Ｂを下部層に流し戻すことにより、取外される。サンプル１４６の残りと吸取紙１４９の集成体が、ついで計重される。これは、この試験の負荷段階中に構造部材により吸収される類似物Ｂの正味量の尺度を提供する。ついでサンプル１４６は、トップ表面層１６１を含めて再集成される。４インチ平方の吸取紙１４９の３層が、提供され、計重される。標準貯蔵要素１４７が、提供され、吸取紙材料１４９の３層の上端に置かれる。再集成されたサンプル１４６は、標準貯蔵要素１４７と吸取紙１４９の３層の集成体上に反転される。（標準貯蔵要素１４７は、図４に示されるように、１５３個の規則的に離間する４．３ｍｍ径の孔１６８のパターンを有する４インチ平方で１．６ミリメートル厚さのアルミニウムプレートを備える。これらの孔は、平方インチ当たり約２６個の孔があるように配列される。）
ついで、１６ポンドで１６平方インチの重り１５８（７０００パスカル圧力、又は１．０ｐｓｉに対応する）が、標準貯蔵要素１４７の反対に面するサンプル１４６の表面上に静かに置かれる。３分後に重り１５８が取外され、サンプル１４６は、試験類似物Ｂにより分離された側面が上を向くように再配向される。トップ層１６１が取外され、またサンプル１４６の残りの層と吸取紙１４９の５層が、測定及び記録される。サンプルの圧縮変転下での保持が、反転サイクル後の構造部材の真下の層に存在する試験類似物Ｂの実際の正味量として計算される。
【０１５３】
圧縮変転下での不動化は、反転サイクル後の構造部材の真下の層に残る負荷段階中に、構造部材を浸透した（すなわち、表面層を通して、サンプルの真下の層を通過した）試験類似物Ｂのパーセントとして計算される。圧縮変転下での不動化を求める等式は、以下の通りである。
圧縮変転下での不動化＝圧縮変転下での保持（ｇ）／負荷段階中に吸収された類似物Ｂの正味量（ｇ）ｘ１００％
【実施例】
【０１５４】
比較対象例１乃至５は、技術上既知の組合せ構造部材の比較対象例である。例１乃至７は、本発明の具体的実施例である。構造部材のそれぞれは、粘性流体身体排泄物を受入、貯蔵、不動化及び保持する容量を求めるために上述のように試験された。試験結果が、図９乃至１３に示されるグラフにプロットされる。
【０１５５】
（比較例１）
オハイオ州シンシナティにあるＰｒｏｃｔｅｒ＆  Ｇａｍｂｌｅ  Ｃｏｍｐａｎｙから入手できるサイズ１のＰａｍｐｅｒｓ  Ｐｒｅｍｉｕｍおむつから切断された４インチｘ４インチのサンプル。そのサンプルは、物品の全ての層を含み、また吸収性コアの最後部４インチを含む区域から取られる。不織トップシートは、上述のように試験前に計重のために真下の層から分離される。それらの層の全ては、実際の試験に含まれる。
【０１５６】
（比較例２）
オハイオ州シンシナティにあるＰｒｏｃｔｅｒ＆  Ｇａｍｂｌｅ  Ｃｏｍｐａｎｙから入手できるサイズ１のＰａｍｐｅｒｓ  Ｐｒｅｍｉｕｍおむつから切断された４インチｘ４インチのサンプル。そのサンプルは、物品の全ての層を含み、また吸収性コアを含む股区域から取られる。８ミリメートル径の孔が、千鳥列で、中心が１３ミリメートル離間するように構造部材を通して打ち抜かれる（図７参照）。トップシートは、孔を打ち抜く前は、構造部材から取外されない。インディアナ州Ｔｅｒｒｅ  ＨａｕｔｅにあるＴｒｅｄｅｇａｒ  ＣｏｒｐｏｒａｔｉｏｎからＸ−３２６５として入手できる開口化真空成形フイルムが、試験のためにトップシートとしてこの構造部材上に置かれる。
【０１５７】
（比較例３）
サウスカロライナ州ノースチャールストンにあるＣｈｉｃｏｐｅｅ，Ｉｎｃ．からＧＨ４３７として入手できるヒドロエンタングル開口化不織ウエブが、インディアナ州Ｔｅｒｒｅ  ＨａｕｔｅにあるＴｒｅｄｅｇａｒ  ＣｏｒｐｏｒａｔｉｏｎからＸ５７９０として入手できる大形気泡真空成形フイルム上に置かれる。
【０１５８】
（比較例４）
インディアナ州Ｔｅｒｒｅ  ＨａｕｔｅにあるＴｒｅｄｅｇａｒ  ＣｏｒｐｏｒａｔｉｏｎからＸ−３２６５として入手できる開口化真空成形フイルムが、ジョージア州ＷｒｅｎｓにあるＧｌｉｔ  Ｃｏｍａｐｎｙから入手できる、平方メートル当たり約１１０グラムの坪量と７．９ミリメートルの未圧縮厚さを有する６デニールの織縮されかつ樹脂接着された嵩高不織材料上に置かれる。
【０１５９】
（比較例５）
インディアナ州Ｔｅｒｒｅ  ＨａｕｔｅにあるＴｒｅｄｅｇａｒ  ＣｏｒｐｏｒａｔｉｏｎからＸ−３２６５として入手できる開口化真空成形フイルムが、ミネソタ州ミネアポリスにある３Ｍ  ＣｏｒｐｏｒａｔｉｏｎからＸＰＬ−７１２４として入手できる、約１．５ミリメートルの未圧縮厚さを有する機械的締結ループ状のランディング要素上に置かれる。
【０１６０】
（実施例１）
バージニア州ノーフォークにあるＤｏｌｌａｒ  Ｔｒｅｅ  Ｄｉｓｔ．からＴｏｙ  Ｔｕｂ  Ｂａｇとして入手できる織網状織物が、６デニールの織縮されかつ樹脂接着された嵩高不織材料上に置かれる。その不織材料は、平方メートル当たり約１１０グラムの坪量と７．９ミリメートルの未圧縮厚さを有し、かつジョージア州ＷｒｅｎｓにあるＧｌｉｔ  Ｃｏｍａｐｎｙから入手できる。その織網状織物は、６０％の有効開口面積と５．０ｍｍ２の有効面積を有する主開口（米国特許第５，３４２，３３８号から組込まれた方法により測定される）とを有する。
【０１６１】
（実施例２）
オハイオ州シンシナティにあるＰｒｏｃｔｅｒ＆  Ｇａｍｂｌｅ  Ｃｏｍｐａｎｙから入手できるサイズ１のＰａｍｐｅｒｓ  Ｐｒｅｍｉｕｍおむつから切断された４インチｘ４インチのサンプル。そのサンプルは、物品の全ての層を含み、また吸収性コアを含む股区域から取られる。８ミリメートル径の孔が、千鳥列で、中心が１３ミリメートル離間するするように構造部材を通して打ち抜かれる（図７参照）。トップシートは、孔を打ち抜く前は、構造部材から取外されない。バージニア州ノーフォークにあるＤｏｌｌａｒ  Ｔｒｅｅ  Ｄｉｓｔ．からＴｏｙ  Ｔｕｂ  Ｂａｇとして入手できる、例１に述べた織網状織物が、試験のためにトップシートとして構造部材上に置かれる。
【０１６２】
（実施例３）
イリノイ州ＡｒｃｏｌａにあるＬｉｂｍａｎ  ＣｏｍｐａｎｙからＬｉｇｈｔ  Ｄｕｔｙ  Ｓｃｒｕｂｂｅｒｓ＃０００６５として入手できるスクラッビングパッドの接着不織嵩高側面（以下「スクラバー」層と呼ぶ）が、スポンジ層から分離される。スクラバー層の厚さは、約７ミリメートルである。このスクラバー層は、約８ｍｍｘ７ｍｍｘ５ｍｍの粒状物に切断され、また１．６５グラムのスクラバー粒状物で１６平方インチの部位を覆うように、ほぼ単一層で吸取紙材料１４９上に緩く分布される。バージニア州ノーフォークにあるＤｏｌｌａｒ  Ｔｒｅｅ  Ｄｉｓｔ．からＴｏｙ  Ｔｕｂ  Ｂａｇとして入手できる、例１に記載される織網状織物が、スクラバー粒状物上に置かれて、試験される構造部材を形成する。
【０１６３】
（実施例４）
例３に記載されるスクラバー粒状物の２グラムが、平方メートル当たり約４５グラムの坪量を有する発泡吸収材料（ここに参照として組込まれる米国特許第５，２６０，３４５号に記載される）の帯片の０．３５グラムと混合される。その帯片は、長さが約１９ミリメートル、幅が６．４ミリメートル、及び厚さが２ミリメートルの寸法を有する。平方メートル当たり約１２６グラムの坪量を有する、約０．８ｍｍ厚さの「湿潤まで薄い」発泡吸収材料（ここに参照として組込まれる米国特許第５，３８７，２０７号に記載される）の１６平方インチの部位上に分布される。バージニア州ノーフォークにあるＤｏｌｌａｒ  Ｔｒｅｅ  Ｄｉｓｔ．からＴｏｙ  Ｔｕｂ  Ｂａｇとして入手できる、例１に記載される織網状織物が、その混合物上に置かれて、試験される構造部材を形成する。
【０１６４】
（実施例５）
例３に記載されるスクラバー粒状物の１．６５グラムが、例４に記載される発泡吸収材料の帯片の０．２５グラムと混合される。スクラバー粒状物と帯片が、吸取紙材料１４９の１６平方インチ上に分布される。バージニア州ノーフォークにあるＤｏｌｌａｒ  Ｔｒｅｅ  Ｄｉｓｔ．からＴｏｙ  Ｔｕｂ  Ｂａｇとして入手できる、例１に記載される織網状織物が、その混合物上に置かれて、試験される構造部材を形成する。
【０１６５】
（実施例６）
例３に記載されるスクラバー粒状物の１．６５グラムが、吸取紙材料１４９の１６平方インチ上にある例４に記載される発泡吸収材料の帯片の０．２５グラム上に置かれる。バージニア州ノーフォークにあるＤｏｌｌａｒ  Ｔｒｅｅ  Ｄｉｓｔ．からＴｏｙ  Ｔｕｂ  Ｂａｇとして入手できる、例１に記載される織網状織物が、その混合物上に置かれて、試験される構造部材を形成する。
【０１６６】
（実施例７）
オハイオ州シンシナチにあるＶＷＲ  Ｓｃｉｅｎｔｉｆｉｃ  Ｐｒｏｄｕｃｔｓ  Ｃｏｒｐ．からカタログ＃２６３９６−６２１として入手できる６ミリメートル径ソーダライム＃３０００ガラスボールの３６．３５グラム（約１２７カウント）が、それぞれの帯片が約４．５ミリメートルの長さと幅の寸法を有する、例４に記載される発泡吸収材料の複数の帯片の０．２３グラムと混合される。ニューヨーク州１００１６ニューヨーク５番街２９５にあるＨｏｍｅｍａｋｅｒから入手できるＳｔａｙ  Ｐｕｔ  Ｒｕｇ  Ｐａｄの４インチｘ４インチのセクションが、試験用のガラスボールを安定化するために、２５．４ミリメートル幅の３Ｍ  Ｓｃｏｔｃｈ  Ｍａｓｋｉｎｇ  Ｔａｐｅから作られた３インチｘ３インチの６．３ミリメートル高さの縁取り物をそのパッド上に置くことにより改質される。ついでこの改質されたセクションが吸取紙材料１４９上に置かれる。ガラスボールと発泡吸収材料立方体混合物が、ガラスビーズの単一層が形成されるようにマスキングテープ縁取り物により仕切られる９平方インチの部位内に分布される。バージニア州ノーフォークにあるＤｏｌｌａｒ  Ｔｒｅｅ  Ｄｉｓｔ．からＴｏｙ  Ｔｕｂ  Ｂａｇとして入手できる、例１に記載される織網状織物が、その混合物上に置かれて、試験される構造部材を形成する。
【０１６７】
以下の表は、上の例で説明された構造部材の圧力下での受入、圧力下での貯蔵、及び圧縮反転下の不動化と保持の性能を示す。表５からのデータの種々の組合せが、図９乃至１３に図示されるグラフにプロットされる。
【０１６８】
【表５】
2010188136.tif 000007
【０１６９】
粘性流体身体排泄物を管理するのを意図する構造部材に対する圧力下での受入（受入）、圧力下での貯蔵（貯蔵）、圧縮変転下での不動化（不動化）、及び圧縮変転下での保持（保持）の組合せた性能の重要性は、図９乃至１３に具体的に示されるグラフにおいて容易に分る。図９乃至１０において現行技術の代表的な構造部材（比較対象例Ｃ１乃至Ｃ５）は、本発明の代表的な構造部材（例１乃至７）と比較すると、図９に示される受入、貯蔵及び不動化の三次元空間において異なる区域を明らかに占める。図９は、現行技術の構造部材と、粘性流体身体排泄物（例えば、１００％母乳で育てられる小児から通常排泄されるような）を処理する際に、本発明の構造部材（例１乃至７）との受入、貯蔵及び不動化の効率の相違を示す。この同一の利点は、図１０に示される受入、貯蔵及び保持の三次元図においても明らかである。例（Ｃ１乃至Ｃ５及び１乃至７）についての粘性流体身体排泄物の受入及び貯蔵の性能の関係が、図１１におけるグラフにプロットされる。図１２は、例の不動化と保持の性能を具体的に示し、また図１３は、粘性流体身体排泄物の貯蔵と不動化の関係を示す。図１４は、粘性流体身体排泄物の圧力下での貯蔵と圧力下での感応性の関係を示す。
【０１７０】
本発明の特定の実施例を図示し説明してきたが、本発明の精神と範囲から逸脱することなく種々の他の変形及び変更をすることができるのは、当業者とって明らかである。したがって、記載されたの請求項において、本発明の範囲内にある全てのそのような変形と変更を包含しようとするものである。
【図面の簡単な説明】
【０１７１】
【図１】真下の構造部材を見せるために切り欠いた部分を有する本発明の吸収性物品の実施例の平面図であり、おむつの身体に面する表面が、観察者に面する。
【図２】構造物の圧力下での許容値と圧力下での貯蔵値の特性を測定するのに使用できる機器の模式正面図である。
【図３】構造物の保留特性、及び圧縮変転下での不動化特性を測定するのに使用できる機器の模式側面図である。
【図４】図３に示される機器の一片の平面図である。
【図５】真下の構成部分を見せるために切り欠いた部分を有する本発明の一実施例の平面図であり、おむつの身体に面する表面が、観察者に面する。
【図６】図５のおむつの線６−６についての断面図である。
【図６Ａ】本発明の別の実施例の断面図である。
【図７】真下の構造部材を見せるために切り欠いた部分を有する本発明の一実施例の平面図であり、おむつの身体に面する表面が、観察者に面する。
【図８】本発明の別の実施例の平面図である。
【図９】代表的な構造物の圧力下での許容値と、圧力下での貯蔵値と、及び圧縮変転下での不動化値との間の関係を示す三次元グラフ図である。
【図１０】代表的な構造物の圧力下での許容値と、圧力下での貯蔵値と、及び保留値との間の関係を示す三次元グラフ図である。
【図１１】代表的な構造物の圧力下での許容値と圧力下での貯蔵値との間の関係を示す二次元図形表示である。
【図１２】代表的な構造物の保留値と圧縮変転下での不動化値との間の関係を示す二次元図形表示である。
【図１３】代表的な構造物の圧縮変転下での不動化値と圧力下での貯蔵値との間の関係を示す二次元図形表示である。
【図１４】代表的な構造物の圧力下での貯蔵値と圧力下での感応性値との間の関係を示す二次元図形表示である。
【図１５】本発明の貯蔵要素の透視説明図である。
【図１６】貯蔵要素の第２の実施例の透視説明図である。
【図１７】貯蔵要素の第３の実施例の透視説明図である。
【図１８】貯蔵要素の第４の実施例の透視説明図である。
【図１９】貯蔵要素の第５の実施例の透視説明図である。
【図２０】本発明の貯蔵要素の他の実施例の平面説明図である。
【図２１】本発明の貯蔵要素の他の実施例の平面説明図である。
【図２２】本発明の貯蔵要素を製造する方法と装置の模式説明図である。
【図２３】本発明の貯蔵要素を製造する方法と装置の他の実施例の模式説明図である。
【図１】
2010188136.tif 000008
【図２】
2010188136.tif 000009
【図３】
2010188136.tif 000010
【図４】
2010188136.tif 000011
【図５】
2010188136.tif 000012
【図６】
2010188136.tif 000013
【図６Ａ】
2010188136.tif 000014
【図７】
2010188136.tif 000015
【図８】
2010188136.tif 000016
【図９】
2010188136.tif 000017
【図１０】
2010188136.tif 000018
【図１１】
2010188136.tif 000019
【図１２】
2010188136.tif 000020
【図１３】
2010188136.tif 000021
【図１４】
2010188136.tif 000022
【図１５】
2010188136.tif 000023
【図１６】
2010188136.tif 000024
【図１７】
2010188136.tif 000025
【図１８】
2010188136.tif 000026
【図１９】
2010188136.tif 000027
【図２０】
2010188136.tif 000028
【図２１】
2010188136.tif 000029
【図２２】
2010188136.tif 000030
【図２３】
2010188136.tif 000031
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
第１のウエスト区域、前記第１のウエスト区域に対向する第２のウエスト区域、及び前記第１ウエスト区域と前記第２のウエスト区域との間に設けられた股区域を備えた吸収性物品であって、
液体透過性トップシートと、
前記トップシートの少なくとも一部分へ接合された液体不透過性バックシートと、
前記トップシートの少なくとも一部分と前記バックシートとの間に設けられた吸収性コアと、
前記股区域の少なくとも一部分に設けられた排泄物管理要素と、を備え、
前記排泄物管理要素は、
網状物を含む受入要素であって、エネルギー入力のミリジュール当たり受入れ要素の平方インチ当たり粘性流体身体排泄物の約０．５０グラムより大きい圧力下での許容値を有する受入要素と、
接着自在箇所と断続的な弓状部分を有する三次元ウエブを含む貯蔵要素であって、貯蔵要素の平方インチ当たり粘性流体身体排泄物の少なくとも約０．７０グラムの圧力下での貯蔵値を有する貯蔵要素と、を含む、吸収性物品。
【請求項２】
前記三次元ウエブは、嵩高不織材料又はループ状の材料を含む、請求項１記載の吸収性物品。
【請求項３】
前記受入れ要素は、少なくとも約２５ｇｓｍから少なくとも約３０ｇｓｍまでの坪量、約５０％から約７０％までの有効開口面積、及び約４．０ｍｍ２から約６．０ｍｍ２までの主開口サイズを有する網状物を含む、上述の請求項１又は２に記載の吸収性物品。
【請求項４】
前記三次元ウエブは、親水性、疎水性、又はそれらの組合せである、請求項１乃至３のいずれか一項に記載の吸収性物品。
【請求項５】
前記三次元ウエブは、概ね均一の平均高さを有し、前記平均高さは、約０．５ｍｍよりも大きい、請求項１乃至４のいずれか一項に記載の吸収性物品。
【請求項６】
前記三次元ウエブの前記平均高さは、約２．５ｍｍよりも大きい、請求項５記載の吸収性物品。
【請求項７】
前記三次元ウエブは、約５ｇｓｍ乃至約３００ｇｓｍの坪量を有する材料を含む、請求項１乃至６のいずれか一項に記載の吸収性物品。
【請求項８】
前記三次元ウエブは、コンジュゲート繊維、スプリット繊維、ポリプロピレン繊維、ポリエチレン繊維、ポリエチレンテレフタレート繊維、ポリアミド繊維、又はそれらの組合せから選択される、請求項１乃至７のいずれか一項に記載の吸収性物品。
【請求項９】
前記繊維は５０未満のデニールを有する、請求項８記載の吸収性物品。
【請求項１０】
前記貯蔵要素は、前部主要表面及び後部主要表面を有する裏材を更に含み、前記裏材の前記前部主要表面は、前記接着自在箇所の接着部分において前記三次元ウエブへ接合される、請求項１乃至９のいずれか一項に記載の吸収性物品。
【請求項１１】
前記裏材は、約０．００１２５ｃｍ乃至約０．０２５ｃｍの厚さを有する、請求項１０記載の吸収性物品。
【請求項１２】
前記裏材は、後部主要表面と前部主要表面を有する第２の裏材を有し、前記第２の裏材は、約０．００１２５ｃｍ乃至約０．０２５ｃｍの厚さを有する、請求項１０記載の吸収性物品。
【請求項１３】
前記裏材は、繊維からなる不織ウエブを含み、前記繊維は、コンジュゲート繊維、スプリット繊維、ポリプロピレン繊維、ポリエチレン繊維、ポリエチレンテレフタレート繊維、ポリアミド繊維、又はそれらの組合せから選択される、請求項１０記載の吸収性物品。
【請求項１４】
前記裏材は、繊維、織物、不織材、スクリム、編み物、熱可塑性フィルム、ポーラスフィルム、開口化フイルム、開口形成フイルム、未開口化形成フイルム、不織ウエブ、通気性フイルム、マイクロポーラスフイルム、開口化不織ウエブ、又はそれらの組合せ、もしくはそれ以上を含む、請求項１０記載の吸収性物品。
【請求項１５】
前記裏材は、約１５０ｇｓｍまでの坪量を有する、請求項１０記載の吸収性物品。
【請求項１６】
前記裏材は、親水性、疎水性、又はそれらの組合せに処理される、請求項１０記載の吸収性物品。
【請求項１７】
前記前部主要表面は、押出しストランド、押出し、加熱接着、樹脂接着、接着剤貼合せ、超音波接合、機械的締結、縫合、接着、面ファスナー、又はそれらの組合せを含む装着手段によって、前記接着自在箇所に装着される、請求項１０記載の吸収性物品。
【請求項１８】
前記貯蔵要素は、不動化要素を含む、請求項１乃至１７のいずれか一項に吸収性物品。
【請求項１９】
前記不動化要素は、嵩高不織材、吸収性材料、又はそれらの組合せを含む、請求項１８記載の吸収性物品。
【請求項２０】
中央区域により分離される２つの対向する端部区域を有する着用者の下着に配置される吸収性挿入部材において、
前記中央区域の少なくとも一部分に設けられた排泄物管理要素を備え、
前記排泄物管理要素は、
エネルギー入力のミリジュール当たり受入れ要素の平方インチ当たり粘性流体身体排泄物の約０．５０グラムより大きい圧力下での許容値を有する受入要素と、
接着自在箇所と断続的な弓状部分を有する三次元ウエブを含む貯蔵要素であって、貯蔵要素の平方インチ当たり粘性流体身体排泄物の約０．７０グラムよりも大きい圧力下での貯蔵値を有する貯蔵要素と、を含む、吸収性挿入部材。
【外国語明細書】
2010188136000001.pdf